(57)【要約】【課題】紙幣処理装置において、大束に関する情報を取得可能にする。【解決手段】紙幣処理装置１００は、所定枚数の紙幣を積み重ねて結束した小束を、所定数、さらに積み重ねて結束した大束を作成するために、紙幣の計数を少なくとも行うように構成される。紙幣処理装置は、紙幣の、少なくとも記番号を取得するよう構成された識別部３と、小束にするための所定枚数の紙幣の集積を繰り返し行うよう構成された計数部（制御部１２０）と、小束における、少なくとも上端及び下端に位置する紙幣の記番号と、当該小束を含んで作成される大束に関する情報と、を関連づけて記憶するよう構成された記憶部１３１と、を備えている。【選択図】図１３
2017187985.tif 000002
【特許請求の範囲】
【請求項１】
所定枚数の紙幣を積み重ねて結束した小束を、所定数、さらに積み重ねて結束した大束を作成するために、前記紙幣の計数を少なくとも行うように構成された紙幣処理装置であって、
前記紙幣の、少なくとも記番号を取得するよう構成された識別部と、
前記小束にするための前記所定枚数の前記紙幣の集積を繰り返し行うよう構成された計数部と、
前記識別部が取得した記番号と、前記計数部の計数結果とに基づいて、前記小束における、少なくとも上端及び下端に位置する前記紙幣の前記記番号と、当該小束を含んで作成される前記大束に関する情報と、を関連づけて記憶するよう構成された記憶部と、を備えている紙幣処理装置。
【請求項２】
前記記番号を検索キーとして、前記記憶部が記憶している情報の中から、当該記番号を有する紙幣を含む前記大束に関する情報を検索するよう構成された検索部を備えている請求項１に記載の紙幣処理装置。
【請求項３】
前記大束に貼付するラベルであって、前記大束に関する情報を有するラベルを印刷するよう構成された印刷部を備えている請求項１又は請求項２に記載の紙幣処理装置。
【請求項４】
前記印刷部は、装置の筐体に内蔵されている請求項３に記載の紙幣処理装置。
【請求項５】
前記印刷部は、装置の筐体に接続されるよう構成された外付けの印刷部である請求項３に記載の紙幣処理装置。
【請求項６】
前記記憶部は、前記大束に関する情報と、当該情報に関連づけた前記記番号と、を所定期間、記憶するよう構成され、
前記印刷部は、前記記憶部が記憶している前記大束に関する情報に基づいて、前記ラベルを印刷するよう構成されている請求項３〜５のいずれか１項に記載の紙幣処理装置。
【請求項７】
前記印刷部は、前記計数部が、一つの大束を作成する枚数の前記紙幣の計数が完了したときに、前記大束に貼付する前記ラベルを印刷するよう構成され、
前記計数部は、前記印刷部が、前記ラベルの印刷ができないときにも、前記紙幣の計数を継続するよう構成されている請求項３〜６のいずれか１項に記載の紙幣処理装置。
【請求項８】
前記記憶部は、前記記憶部の記憶容量と、前記記憶部が記憶している情報量とに応じて、前記所定期間を変更するよう構成されている請求項６に記載の紙幣処理装置。
【請求項９】
前記記憶部は、前記小束における、上端の１枚目からＮ枚（但しＮは２以上５０未満の自然数）分の前記紙幣の前記記番号、及び、下端の１枚からＮ枚分の前記紙幣の前記記番号を記憶するよう構成されている請求項１〜請求項８のいずれか１項に記載の紙幣処理装置。
【発明の詳細な説明】
【技術分野】
【０００１】
ここに開示する技術は、紙幣処理装置に関する。
【背景技術】
【０００２】
特許文献１には、複数のカセットから回収した紙葉類の計数処理を一度に行うことが可能な紙葉類処理装置が記載されている。この紙葉類処理装置は、処理を開始する前に、各カセットから取り出した紙葉類のうち、最上位の紙葉類を特定する情報（つまり、紙幣であれば記番号であり、バーコードチケットであればバーコード情報（バリデーションナンバー））と、カセットの情報とを紐付けして記憶する。そして、複数のカセットから回収した紙葉類は、装置の取り込み部に積み重ねてセットされると共に、一度に、計数処理される。
【０００３】
この紙葉類処理装置では、カセットとカセットとの仕切りとなる紙葉類を特定する情報を予め記憶しているため、計数結果を、カセット毎に分けることが可能になる。
【先行技術文献】
【特許文献】
【０００４】
【特許文献１】国際公開第２０１０／０１０６０６号
【発明の概要】
【発明が解決しようとする課題】
【０００５】
ところで、所定枚数の紙幣を積み重ねて結束した小束を、所定数、さらに積み重ねて結束した大束を作成する際に、紙幣処理装置を用いて、小束にするための所定枚数の紙幣の集積（つまり、計数）を繰り返し行う場合がある。紙幣処理装置の計数結果は、上位端末（例えばサーバー）にアップロードされ、上位端末は、計数結果と大束の情報とを紐付けて記憶する。大束を作成した後で、大束に関する情報が必要になったときには、上位端末にアクセスをする。
【０００６】
これに対し、紙幣の計数処理を行った紙幣処理装置において、大束に関する情報を取得したいという要求がある。例えば、作成した大束に貼付するラベル（当該大束に関する情報（例えば大束を作成した銀行支店名、作成した日付及び時刻、大束を作成したオペレータ名等を含む）が印刷されたラベル）を、紙幣処理装置が一つの大束を作成する枚数分の紙幣の計数が完了したときに、紙幣処理装置のプリンタが印刷すれば、大束作成業務を効率的に行うことができる。
【０００７】
紙幣処理装置のプリンタが印刷したラベルを紛失したり、ラベルが汚れたりしたときには、ラベルを再印刷しなければならない。その際に、大束を作成した後は、上位端末にアクセスして大束に関する情報を取得する構成では、ラベルの再印刷を行うときも、上位端末にアクセスして大束に関する情報を取得しなければならない。これに対し、上位端末にアクセスせずに紙幣処理装置において、ラベルの再印刷を可能に構成すれば、オペレータの作業性は大幅に向上する。
【０００８】
また、紙幣処理装置が一つの大束を作成する枚数分の紙幣の計数が完了し、紙幣処理装置のプリンタが、当該大束に貼付するラベルを印刷しようとしたときに、例えばラベルの用紙切れや、故障等に起因して、ラベルの印刷ができなかったときには、ラベルの印刷をスキップして、紙幣の計数を継続することが、大束を作成する業務を遂行する上では効率的である。この場合に、プリンタが復旧した後に、ラベルの印刷をしようとしたときにも、上位端末にアクセスせずに紙幣処理装置において、ラベルの印刷を可能にすることが、オペレータの作業性には有利である。
【０００９】
ここに開示する技術は、かかる点に鑑みてなされたものであり、その目的とするところは、大束を作成するために、少なくとも紙幣の計数を行う紙幣処理装置において、大束に関する情報を取得可能にすることにある。
【課題を解決するための手段】
【００１０】
具体的にここに開示する技術は、所定枚数の紙幣を積み重ねて結束した小束を、所定数、さらに積み重ねて結束した大束を作成するために、前記紙幣の計数を少なくとも行うように構成された紙幣処理装置に係る。この紙幣処理装置は、前記紙幣の、少なくとも記番号を取得するよう構成された識別部と、前記小束にするための前記所定枚数の前記紙幣の集積を繰り返し行うよう構成された計数部と、前記識別部が取得した記番号と、前記計数部の計数結果とに基づいて、前記小束における、少なくとも上端及び下端に位置する前記紙幣の前記記番号と、当該小束を含んで作成される前記大束に関する情報と、を関連づけて記憶するよう構成された記憶部と、を備えている。
【００１１】
この構成によると、大束を作成するために紙幣の計数を行う紙幣処理装置が、記憶部を備えている。このため、オペレータは、記憶部が記憶している大束に関する情報を、紙幣処理装置から取得することが可能になる。その結果、オペレータの利便性が高まる。
【００１２】
尚、この紙幣処理装置は、紙幣の計数のみを行う構成としてもよいし、紙幣の計数と、集積した紙幣を結束して小束を作成することとを行う構成としてもよいし、紙幣の計数と、小束を作成することと、作成した小束を積み重ねて結束をすることで大束を作成することとを行う構成としてもよい。
【００１３】
前記紙幣処理装置は、前記記番号を検索キーとして、前記記憶部が記憶している情報の中から、当該記番号を有する紙幣を含む前記大束を検索するよう構成された検索部を備えている、としてもよい。
【００１４】
この構成によると、記憶部が記憶している情報は、小束の上端及び下端に位置する紙幣の記番号であるから、所定枚数の紙幣を積み重ねて結束した小束の現物において、また、その小束を所定数、積み重ねて結束した大束の現物において、オペレータは、小束の上端又は下端に位置する紙幣の記番号を見ることができる。オペレータは、紙幣の記番号を検索キーとして検索を行うことにより、当該大束に関する情報を、紙幣処理装置から容易に取得することが可能になる。
【００１５】
また、記憶部に記憶する記番号を、小束に含まれる全ての紙幣の記番号ではなく、小束の上端及び下端に位置する紙幣の記番号とすることで、検索の対象となる記番号の数が少なくなる。これにより、検索に要する時間を短縮することが可能になると共に、検索処理を行う制御部の負担が軽減する。
【００１６】
前記紙幣処理装置は、前記大束に貼付するラベルであって、前記大束に関する情報を有するラベルを印刷するよう構成された印刷部を備えている、としてもよい。
【００１７】
大束を作成するために紙幣の計数を行う紙幣処理装置において、大束に貼付するラベルを印刷することができるため、オペレータは、大束を作成する業務を効率的に行うことが可能になる。
【００１８】
前記印刷部は、装置の筐体に内蔵されている、としてもよい。また、前記印刷部は、装置の筐体に接続されるよう構成された外付けの印刷部である、としてもよい。
【００１９】
前記記憶部は、前記大束に関する情報と、当該情報に関連づけた前記記番号と、を所定期間、記憶するよう構成され、前記印刷部は、前記記憶部が記憶している前記大束に関する情報に基づいて、前記ラベルを印刷するよう構成されている、としてもよい。
【００２０】
こうすることで、記憶部が記憶している期間中はいつでも、紙幣処理装置においてラベルを印刷することが可能になる。その結果、ラベルの再印刷を容易に行うことができる。
【００２１】
前記印刷部は、前記計数部が、一つの大束を作成する枚数の前記紙幣の計数が完了したときに、前記大束に貼付する前記ラベルを印刷するよう構成され、前記計数部は、前記印刷部が、前記ラベルの印刷ができないときにも、前記紙幣の計数を継続するよう構成されている、としてもよい。
【００２２】
一つの大束を作成する枚数の紙幣の計数が完了したときに、大束に貼付するラベルを印刷することによって、作成した大束と印刷したラベルとを正確に対応させることが可能になる。大束を作成する業務を正確に遂行することができると共に、オペレータの作業の効率化が図られる。
【００２３】
また、例えば印刷部が故障している、ラベルの用紙切れである、又はインクリボン切れである等の様々な理由によって印刷をできないときにも、計数処理を継続する。つまり、ラベルの印刷をスキップすることによって、大束を作成する業務の停滞を防止することができる。前述したように、印刷部が、記憶部が記憶している情報に基づいて、ラベルを印刷することが可能であれば、印刷することができなかったラベルを、印刷部が復旧した後に、印刷可能になる。
【００２４】
前記記憶部は、前記記憶部の記憶容量と、前記記憶部が記憶している情報量とに応じて、前記所定期間を変更するよう構成されている、としてもよい。
【００２５】
こうすることで、記憶部の記憶容量を節約しながら、必要な情報を、紙幣処理装置において記憶しておくことができる。
【００２６】
前記記憶部は、前記小束における、上端の１枚目からＮ枚（但しＮは２以上５０未満の自然数）分の前記紙幣の前記記番号、及び、下端の１枚からＮ枚分の前記紙幣の前記記番号を記憶するよう構成されている、としてもよい。
【００２７】
所定枚数の紙幣の集積を行う際に、紙幣の順番が入れ替わってしまうことが起こり得る。上端又は下端の紙幣の記番号のみを記憶部に記憶すると、紙幣の順番が入れ替わってしまった場合、小束において、外から見えない紙幣の記番号を、記憶部は記憶することになる。外から見える紙幣の記番号は記憶されていないため、例えば検索キーとして利用することができない。
【００２８】
そこで、上端の１枚目から複数枚分、及び、下端の１枚目から複数枚分の紙幣の記番号を記憶するようにすれば、集積時に紙幣の順番が入れ替わってしまった場合においても、外から見える紙幣の記番号を、記憶部は記憶することができる。尚、記番号を記憶する枚数は、記憶部の記憶容量や、検索対象とすべき記番号の数（つまり、この数は、検索時間に影響を与える）を考慮して、適宜の数に設定すればよい。
【発明の効果】
【００２９】
以上説明したように、前記の紙幣処理装置によると、大束を作成するために、少なくとも紙幣の計数を行う紙幣処理装置において、大束に関する情報を取得することができる。
【図面の簡単な説明】
【００３０】
【図１】図１は、紙幣処理装置の外観図である。
【図２】図２は、紙幣処理装置の概略構成図である。
【図３】図３は、紙幣処理装置の構成を示すブロック図である。
【図４】図４は、紙幣処理装置において設定されている業務と、各業務に対応して設定される機能を示す図である。
【図５】図５は、大束に貼付されるラベルを例示する図である。
【図６】図６は、タッチパネルに表示される、業務選択画面を例示する図である。
【図７】図７は、大束正損分け業務を選択した場合に、タッチパネルに表示される機能設定画面を例示する図である。
【図８】図８は、プルダウンメニューによってバッチ枚数を設定する設定画面を例示する図である。
【図９】図９は、バッチ枚数の設定のための、枚数選択画面を例示する図である。
【図１０】図１０は、業務に応じて設定される、現物紙幣の管理単位と、出力用データファイルの作成単位との対応を示す図である。
【図１１】図１１は、出力用データファイルと、出力用データファイルに含まれる紙幣データとを示す図である。
【図１２】図１２は、大束正損分け業務において、タッチパネルに表示される画面を例示する図である。
【図１３】図１３は、検索用データファイルとして記憶する記番号を説明するための図である。
【図１４】図１４は、大束に関する情報を検索するための、検索開始画面を例示する図である。
【図１５】図１５は、検索結果画面を例示する図である。
【図１６】図１６は、印刷を行うラベルのプレビュー画面を例示する図である。
【図１７】図１７は、ここに開示する技術が適用可能な紙幣整理機の外観構成を例示する図である。
【図１８】図１８は、ここに開示する技術が適用可能な紙幣分類結束装置の外観構成を例示する図である。
【発明を実施するための形態】
【００３１】
以下、実施形態を図面に基づいて詳細に説明する。
【００３２】
〈紙幣処理装置の概略構成〉
図１は、紙幣処理装置１００の外観図を示し、図２は、紙幣処理装置１００の概略構成図を示す。紙幣処理装置１００は、バラ状態の紙幣を取り込み、紙幣の計数を行うと共に、紙幣の種類や状態に応じて分類をし、集積する機能を有する紙幣整理機である。紙幣処理装置１００は、紙幣を結束する機能も有する。
【００３３】
紙幣処理装置１００は、例えば現金センター等において、各種の業務を行う際に利用される。紙幣処理装置１００を利用して行う業務には、紙幣処理装置１００が紙幣の正損を分類する正損分け業務、正券及び／又は損券の大束を作成するために、紙幣処理装置１００が、紙幣の正損を分類しかつ、設定した枚数の正券又は損券を集積する大束正損分け業務、紙幣処理装置１００が、カセットから回収した紙幣を計数しかつ、分類するカセット回収業務、紙幣処理装置１００が、カセットに装填する紙幣として、設定した枚数の紙幣を集積するカセット装填業務、紙幣処理装置１００が、ＡＴＭから回収した紙幣を計数しかつ、分類するＡＴＭ回収業務、紙幣処理装置１００が、ＡＴＭに装填する紙幣として、設定した枚数の紙幣を集積するＡＴＭ装填業務、及び、紙幣処理装置１００が、紙幣の記番号を読み取って記録する記番号記録業務が含まれる。カセット装填業務では、空のカセットに対して紙幣を装填する場合や、紙幣を収容しているカセットに対し紙幣を装填して満杯にする場合がある。従って、カセット装填業務では、装填枚数（つまり、バッチ枚数）を任意に設定することが可能である。これは、ＡＴＭ装填業務においても同様である。
【００３４】
また、紙幣処理装置１００は、例えば銀行のテラーカウンタに設置され、そこにおいて、各種の業務を行う際に利用される場合もある。テラーカウンタにおいて行う業務には、紙幣処理装置１００が、預け入れをする紙幣を計数する預入業務、紙幣処理装置が、払い出す紙幣を計数する払出業務が含まれる。
【００３５】
紙幣処理装置１００はさらに、前述した各業務の遂行に利用されるときには、処理を行った紙幣に関する情報（紙幣の情報）を出力用データファイルとして、上位端末１４０（図３参照）等に出力するように構成されている。
【００３６】
尚、この紙幣処理装置１００は、各業務における処理の一部を行う際に利用されるものであり、この紙幣処理装置１００によって、各業務の遂行に必要な全ての処理が可能になるのではない。
【００３７】
また、紙幣処理装置１００が利用される業務は、前述した業務に限定されるのではなく、これらの業務以外の業務に利用される場合もある。また、これらの業務の一部にのみ利用される場合もある。
【００３８】
紙幣処理装置１００は、紙幣が載置され、該紙幣を取り込むホッパ部２と、紙幣を識別する識別部３と、結束を行う紙幣を集積する、集積部の一つとしての結束スタッカ４と、結束を行わない紙幣を集積する、集積部の一つとしての非結束スタッカ５と、リジェクト紙幣を集積するリジェクトスタッカ６と、ホッパ部２から取り込まれた紙幣を、識別部３、結束スタッカ４、非結束スタッカ５及びリジェクトスタッカ６に搬送する第１搬送部７と、結束スタッカ４に集積された紙幣を所定の位置まで搬送する第２搬送部８と、第２搬送部８により搬送された紙幣を結束する結束部９と、結束された紙幣（以下、「結束紙幣」という）を搬送する第３搬送部１０と、結束紙幣を投出する投出部１１と、識別部３、結束スタッカ４、非結束スタッカ５、リジェクトスタッカ６、第１搬送部７、第２搬送部８、結束部９及び第３搬送部１０を収容する箱状の筐体１２とを備えている。
【００３９】
筐体１２の内部は、紙幣の識別及び分類に関する処理を行う第１処理部１２６と、結束対象の紙幣の結束に関する処理を行う第２処理部１２７とに別れている。第２処理部１２７は、第１処理部１２６の上方に設けられている。第１処理部１２６には、ホッパ部２、識別部３、非結束スタッカ５及びリジェクトスタッカ６が含まれる。第２処理部１２７には、結束スタッカ４、第２搬送部８、結束部９及び第３搬送部１０が含まれる。第１搬送部７の大部分は、第１処理部１２６に含まれている。
【００４０】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。結束対象の紙幣として集積する紙幣は、適宜設定することができる。結束スタッカ４は、結束を行わない紙幣を集積することも可能である。
【００４１】
結束スタッカ４は、筐体１２の側面に開口する第１取出口４７を開閉する扉４３（図１参照）を有している。扉４３は、透明又は半透明な材料（例えば、ガラスや樹脂）で構成され、それによって、外部から内部を目視可能に構成されている。
【００４２】
詳細な図示は省略するが、扉４３はロック機構４４を有している。結束スタッカ４に紙幣を集積しているときには、扉４３が開かないように、ロック機構４４がロック状態になる。結束スタッカ４から、結束を行わない紙幣を取り出すときには、ロック機構４４がアンロック状態になる。これにより、付勢手段によって付勢された扉４３は自動的に開いて、第１取出口４７を開放する。
【００４３】
結束スタッカ４には、その内部又は第１取出口４７付近を照射する照明装置（例えばＬＥＤ（Light Emitting Diode：発光ダイオード）からなる照明部）４６が取り付けられている（図２にのみ示す）。照明装置４６は、結束スタッカ４から紙幣を取り出すときに、結束スタッカ４辺りを照らす。
【００４４】
結束スタッカ４は、結束スタッカ４内の紙幣を検知する集積センサ４５を有している。集積センサ４５は、光を送信する送信部と光を受信する受信部とを有し、送信部から出射されて受信部に到達する光が遮断されることによって紙幣を検知する。尚、後述する集積センサ５２、紙幣センサ２５、及び、通過センサ７４も同様の構成をしている。集積センサ４５は、結束スタッカ４内の紙幣により光が遮断されるように配置されている。つまり、集積センサ４５は、光が遮断されることによって、結束スタッカ４内に紙幣が存在していることを検知することができる。集積センサ４５は、結束スタッカ４から紙幣が取り出されたときには、そのことを検知することができる。
【００４５】
非結束スタッカ５は、第１及び第２非結束スタッカ５Ａ，５Ｂの２つのスタッカを含んでいる。第１及び第２非結束スタッカ５Ａ，５Ｂは、第１処理部１２６内において実質的に水平方向に並んで配置されている。非結束スタッカ５は、筐体１２の側面に開口する第２取出口５３を有している。
【００４６】
非結束スタッカ５には、集積された紙幣を第２取出口５３の方へ押し出すための押出機構５４が設けられている。押出機構５４は、非結束スタッカ５の奥側（第２取出口５３と反対側）に設けられており、奥側から手前側（第２取出口５３の側）に紙幣を押し出すように構成されている。これにより、図１に概念的に示すように、紙幣は、第２取出口５３から突出するようになる。
【００４７】
非結束スタッカ５には、その内部又は第２取出口５３付近を照射する照明装置（例えばＬＥＤからなる照明部）５５が取り付けられている。照明装置５５は、非結束スタッカ５から紙幣を取り出すときに、非結束スタッカ５辺りを照らす。
【００４８】
非結束スタッカ５は、非結束スタッカ５内の紙幣を検知する集積センサ５２を有している。集積センサ５２は、集積センサ４５と同様の構成をしている。集積センサ５２は、非結束スタッカ５内に紙幣が存在することを検知することができる。また、集積センサ５２は、非結束スタッカ５から紙幣が取り出されたときには、そのことを検知することができる。
【００４９】
ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣の一長辺を先頭として（紙幣の短辺に平行な方向に）紙幣が取り込まれていくように、紙幣がホッパ部２に載置される。
【００５０】
紙幣センサ２５は、取込口２４の近傍に設けられている。紙幣センサ２５は、集積センサ４５と同様の構成をしている。紙幣センサ２５は、載置台２１上に載置された紙幣により光が遮断されるように配置されている。つまり、紙幣センサ２５は、光が遮断されることによって、載置台２１上に紙幣が載置されていることを検知することができる。
【００５１】
第１搬送部７は、搬送ベルト等で構成されている。第１搬送部７は、主搬送路７１と、主搬送路７１から分岐する第１〜第４分岐路７２ａ〜７２ｄと、主搬送路７１からの分岐箇所に設けられた振り分け機構７３と、紙幣の通過を検知する複数の通過センサ７４とを有している。第１搬送部７は、紙幣の一長辺が先頭になるように（紙幣の短辺に平行な方向に）紙幣を搬送していく。
【００５２】
識別部３は、主搬送路７１のうち第１分岐路７２ａよりも上流側に設けられている。識別部３は、搬送される紙幣の一枚一枚について、その金種、真偽及び正損を識別するように構成されている。具体的には、識別部３は、ラインセンサ３１及び磁気センサ３２を有し、紙幣の特徴を取得する。識別部３は、紙幣の特徴が、記憶している各種紙幣の特徴と一致するかを判定し、通貨、金種、発行年、新旧、真偽、及び正損を識別する。新旧は、紙幣の版（バージョン）を示す情報である。例えば１００元札ならば、それが旧版（１９８０年第４版、１９９０年第４版改訂版）に該当するのか、新版（２００５年第５版）に該当するのかを特定する情報である。
【００５３】
識別部３は、紙幣の正損を、ＡＴＭ正券（ＡＴＭ）、テラー正券（ＴＬＲ）、及び損券（ＵＮＦＩＴ）の３つのレベルに分類する。ＡＴＭ正券は、ＡＴＭから出金する紙幣として使用できるレベルの正券であり、テラー正券は、ＡＴＭから出金する紙幣として使用できるレベルにないが、銀行のテラーカウンタで出金する紙幣としては使用できるレベルの正券である。尚、紙幣の正損を２つのレベルに分類してもよい。その場合、識別部３は、紙幣の正損を、ＡＴＭ正券（ＡＴＭ）及びテラー正券（ＴＬＲ）を含む正券（ＦＩＴ）、並びに、損券（ＵＮＦＩＴ）の２つのレベルに分類する。尚、以下の説明では、正損のレベルを「正損レベル」と称する場合がある。
【００５４】
識別部３はまた、紙幣の識別の際に、紙幣のイメージデータを取得する。取得したイメージデータは、後述する記憶部１３１に記憶される。識別部３は、イメージデータとして、紙幣の全体画像を取得し、その全体画像から、記番号を含むエリアを切り出して、エリア画像を作成し、さらに、そのエリア画像に基づいて、一文字毎の二値化セグメント画像を作成する。識別部３は、二値化セグメント画像についてＯＣＲ処理を行い、記番号を読み取る。記憶部１３１には、全体画像、エリア画像、及び、二値化セグメント画像の少なくとも一つが記憶される。
【００５５】
結束部９は、集積された紙幣を結束する。結束部９は、テープ輪Ｌを作成し、該テープ輪Ｌの中へ紙幣が搬送された後にテープを引き戻し、紙幣をテープで結束する。
【００５６】
第２搬送部８は、結束スタッカ４に集積された紙幣を把持して、該紙幣をテープ輪Ｌの中へ搬送する。第２搬送部８は、上アーム部８１ａと下アーム部８１ｂとによって紙幣を把持する把持ユニット８１と、把持ユニット８１を水平方向であって且つ紙幣の一長辺が先頭となる（紙幣の短辺に平行となる）方向へ移動させる第１水平移動機構と、把持ユニット８１を水平方向であって且つ紙幣の一短辺が先頭となる（紙幣の長辺に平行となる）方向へ移動させる第２水平移動機構と、把持ユニット８１を上下方向へ移動させる上下移動機構とを有している。
【００５７】
結束部９は、図２に示すように、テープを供給するテープ供給部９１と、テープでテープ輪Ｌを作成するテープ輪作成部９２と、テープを紙幣に巻き付けた状態でテープ同士を接合するヒータ９５と、テープを紙幣に巻き付けられていない位置で切断するカッタ９６と、テープに印字する印字部９７と、テープに押印する押印部９８とを有している。
【００５８】
テープ供給部９１は、テープがリールに巻き付けられたテープリール９１１と、テープリール９１１から引き出されるテープを搬送するテープ搬送部９１２と、を有している。テープ搬送部９１２は、テープを所定の搬送路に沿って搬送する。テープ搬送部９１２は、図示は省略するが、ガイドと複数のローラ対とを有している。
【００５９】
テープ輪作成部９２は、図２に破線で示すように、テープでテープ輪Ｌを作成し、集積された紙幣が該テープ輪Ｌの中に配置された後に該テープを引き戻して該テープを該紙幣に巻き付ける。
【００６０】
第３搬送部１０は、結束紙幣を投出部１１まで搬送する。第３搬送部１０は、上把持部１０１と、下把持部１０２と、上把持部１０１及び下把持部１０２を、水平方向であってかつ、紙幣の一長辺が先頭となる（紙幣の短辺に平行となる）方向へ移動させる水平移動機構とを有している。
【００６１】
筐体１２の側面には、図１に示すように、紙幣処理装置１００への情報を入力する操作部であり且つ紙幣処理装置１００の情報を表示する表示部であるタッチパネル１７が設けられている。タッチパネル１７は、紙幣処理装置１００を操作するオペレータに対するヒューマンインターフェース部分である。
【００６２】
また、筐体１２の側面における第２取出口５３の近傍には、２つの第２取出口５３のそれぞれに対応するように、２つの表示部が設けられている。本実施形態では、表示部の一例として、セグメント型の液晶パネル１８が設けられている。液晶パネル１８は、後述のように、非結束スタッカ５に集積されている紙幣の金種及び版を表示する。さらに、筐体１２の側面における第１取出口４７の近傍に、２つの第１取出口４７のそれぞれに対応するように、２つの表示部を設けてもよい。これらの表示部を、紙幣処理装置１００が行う処理に関する情報を表示する表示部とすることもできる。
【００６３】
〈紙幣処理装置のシステム構成〉
図３に、紙幣処理装置１００の概略構成を示すブロック図を示す。
【００６４】
紙幣処理装置１００は、例えば周知のマイクロコンピュータをベースとした制御部１２０を備えている。制御部１２０には、前述したホッパ部２、識別部３、結束スタッカ４、非結束スタッカ５、リジェクトスタッカ６、第１搬送部７、第２搬送部８、結束部９、第３搬送部１０、タッチパネル１７及び液晶パネル１８が、信号の送受信可能に接続されている。また、制御部１２０には、紙幣センサ２５、集積センサ４５、集積センサ５２、通過センサ７４が接続され、それらの検出信号が入力されるように構成されている。さらに、制御部１２０には、各種の情報を記憶する記憶部１３１、有線又は無線の通信線を介して上位端末（例えばサーバ）１４０に対し信号を入出力する通信部１３２、及び入出力部１３３がそれぞれ接続され、制御部１２０と、記憶部１３１、通信部１３２及び入出力部１３３との間で、各種の信号を入出力するように構成されている。入出力部１３３は、紙幣処理装置１００の外部装置が接続される入出力ポートを構成する。紙幣処理装置１００には、例えばプリンタ１４１（図１も参照）、ＳＤカード等の各種のメモリカード１４２、フラッシュメモリ等の記憶部を有する記憶ドライブ１４３、及び、バーコードや、二次元コードを読み取るコードリーダー１４４が、入出力部１３３を介して接続される。プリンタ１４１は、後述するように、大束に貼付するラベルを印刷する。尚、図１では、紙幣処理装置１００とプリンタ１４１とを有線で接続する構成を示しているが、紙幣処理装置１００とプリンタ１４１とは、例えば、Bluetooth（登録商標）やWi-Fi（登録商標）等を利用して無線により接続してもよい。また、紙幣処理装置１００には、オペレータが誤った操作等をおこなった際に、音によって警告を行う警告部としてのブザー１４５が設けられている。ブザー１４５は制御部１２０によって作動する。
【００６５】
制御部１２０は、タッチパネル１７からの入力信号及び各種センサからの検知信号等に基づいて制御信号を生成し、ホッパ部２等へ該制御信号を出力する。ホッパ部２等は、制御部１２０からの制御信号に従って動作する。
【００６６】
〈紙幣処理装置の基本的な動作〉
以下、紙幣処理装置１００の動作について説明する。紙幣処理装置１００は、基本的に、ホッパ部２に載置された紙幣について、識別部３が識別等を行うと共に、その識別結果と、予め設定した分類ルールとに従って、紙幣を、第１及び第２結束スタッカ４Ａ、４Ｂ、並びに、第１及び第２非結束スタッカ５Ａ、５Ｂに分けて集積することにより、紙幣を分類する動作を行う。分類ルールは、各スタッカ４、５に集積する紙幣を、通貨、金種、新旧の版、正損（ＡＴＭ正券、テラー正券、正券、及び損券）等によって特定することにより設定される。
【００６７】
まず、オペレータは、処理対象の紙幣をホッパ部２へ載置する。続いて、オペレータは、タッチパネル１７を操作して、紙幣の取込を開始する。尚、紙幣センサ２５がホッパ部２への紙幣の載置を検知すると、紙幣処理装置１００が自動的に紙幣の取込を開始するようにしてもよい。
【００６８】
ホッパ部２に載置された紙幣は、取込ローラ２３が作動することにより１枚ずつ取込口２４から、筐体１２内へ取り込まれていく。取り込まれた紙幣は、第１搬送部７により搬送され、識別部３を通過する。識別部３は、通過する紙幣に関する情報（少なくとも金種、発行年数、新旧情報、正損情報、記番号を含む）を取得し、紙幣情報を制御部１２０へ通知する。
【００６９】
制御部１２０は、紙幣に関する情報と、予め設定されている分類ルールとに応じて、当該紙幣に対応する搬送先、つまり、第１結束スタッカ４Ａ、第２結束スタッカ４Ｂ、第１非結束スタッカ５Ａ、又は、第２非結束スタッカ５Ｂを決定する。第１搬送部７は、決定した搬送先に基づいて、紙幣を、第１結束スタッカ４Ａ、第２結束スタッカ４Ｂ、第１非結束スタッカ５Ａ、又は、第２非結束スタッカ５Ｂに搬送する。制御部１２０は、計数部を構成する。
【００７０】
尚、第１結束スタッカ４Ａ、及び、第２結束スタッカ４Ｂが共に、同一種類の紙幣を集積する分類ルールであれば、２つの結束スタッカ４のうち一方の結束スタッカ４へ紙幣が搬送される。一方の結束スタッカ４に集積された紙幣の枚数が所定の枚数（例えば、１００枚）に達すると、それ以降の紙幣は、他方の結束スタッカ４へ搬送される。第１非結束スタッカ５Ａ、及び、第２非結束スタッカ５Ｂが共に、同一種類の紙幣を集積する分類ルールであるときも、同様である。尚、紙幣がリジェクト紙幣であるときには、制御部１２０は、搬送先をリジェクトスタッカ６とする。リジェクト紙幣は、指定外紙幣、異常紙幣、搬送異常紙幣、及び偽券を含む。指定外紙幣は、正常な紙幣であると判定されたものの、その紙幣の搬送先が、第１結束スタッカ４Ａ、第２結束スタッカ４Ｂ、第１非結束スタッカ５Ａ、又は、第２非結束スタッカ５Ｂのいずれにも設定されていない紙幣である。異常紙幣は、識別部３で取得した情報に基づいて、紙幣であることが判定できなかったものである。搬送異常紙幣は、斜行や連鎖などの搬送異常により、紙幣に関する情報を正常に取得できなかった紙幣である。偽券は、紙幣に関する情報と、予め記憶された偽券情報とを照合した結果、偽券である可能性があると判定された紙幣である。
【００７１】
紙幣処理装置１００は、紙幣を分類しながら、結束スタッカ４、又は、非結束スタッカ５に、所定枚数（つまり、設定されたバッチ枚数）の紙幣を集積させるバッチ処理を行うことが可能である。バッチ処理時には、結束スタッカ４、又は、非結束スタッカ５において設定されたバッチ枚数の紙幣が集積されると、そのスタッカでは、新たな紙幣の集積が禁止される。結束スタッカ４に、バッチ枚数の紙幣が集積されると、ロック機構４４がアンロック状態になって、扉４３が開く。また、照明装置４６が、紙幣を取り出すべき結束スタッカ４の内部又は第１取出口４７付近を照らす。オペレータは、第１取出口４７を通じて結束スタッカ４から紙幣を取り出すことができる。また、非結束スタッカ５に、バッチ枚数の紙幣が集積されると、押出機構５４が紙幣を押し出す。また、照明装置５５が、紙幣を取り出すべき非結束スタッカ５の内部又は第２取出口５３付近を照らす。オペレータは、第２取出口５３を通じて非結束スタッカ５から紙幣を取り出す。紙幣の取り出しが完了したことは、集積センサ４５及び集積センサ５２によって検知され、取り出し完了後は、自動で、又は、手動で、そのスタッカへの新たな紙幣の集積が再開する。
【００７２】
また、結束スタッカ４に集積した紙幣を結束する場合、結束スタッカ４に、設定された結束枚数の紙幣が集積されると、制御部１２０は、第２搬送部８を制御し、把持ユニット８１により第１結束スタッカ４Ａ内の紙幣を把持し、該紙幣を結束部９へ搬送する。その後、制御部１２０は、結束部９を制御して、紙幣をテープで結束する。結束紙幣は、第３搬送部１０によって、投出部１１から投出される。
【００７３】
〈紙幣処理装置を利用した業務〉
前述したように、この紙幣処理装置１００は、預入業務、払出業務、正損分け業務、大束正損分け業務、カセット回収業務、カセット装填業務、ＡＴＭ回収業務、ＡＴＭ装填業務、記番号記録業務の各種の業務における一部の処理を行う際に利用される。この紙幣処理装置１００は、様々な機能を有する汎用の紙幣整理機であり、前述の各業務に利用する場合、それらの機能を個別に設定することが必要となる。
【００７４】
紙幣処理装置１００は具体的に、以下の各機能を、少なくとも有している。
（１）紙幣の結束を行う機能（結束機能）
（２）分類ルールに従って紙幣を所定の搬送先に搬送する機能（搬送カテゴリ設定機能）、
（３）正損レベル別に、結束スタッカ４又は非結束スタッカ５の最大集積容量を超える枚数の紙幣を集積する特定バッチ処理機能（正損バッチ機能）、
（４）前記正損バッチ処理が完了した際に、結束スタッカ４又は非結束スタッカ５から紙幣を取り出した後、紙幣処理装置１００の動作の再開を手動で行う機能（つまり、正損バッチ処理が完了したことを条件として紙幣の繰り出しを停止する繰出停止機能）、及び、
（５）紙幣処理装置１００において処理を行った紙幣に関する情報が印刷されたラベルをプリンタ１４１によって印刷する機能（ラベル印刷機能）である。
【００７５】
尚、これら（１）〜（５）の機能以外にも、紙幣処理装置１００は、結束スタッカ４又は非結束スタッカ５に、最大集積容量以下の枚数の紙幣を集積する、通常のバッチ処理機能も有している。
【００７６】
紙幣処理装置１００が有する機能は、前記の機能に限らず、これらの機能とは異なる機能を有していてもよい。また、紙幣処理装置１００は、これらの機能の一部のみを有していてもよい。
【００７７】
ここで、正損バッチ機能及び繰出停止機能について、詳細に説明をする。前記の通り、正損バッチ機能は、バッチ枚数が結束スタッカ４の集積容量、又は、非結束スタッカ５の集積容量を超えるバッチ処理（特定バッチ処理）を行う機能である。例えば、大束正損分け業務において大束枚数が１０００枚とされた場合、バッチ枚数は１０００枚である。また、カセット装填業務では、カセットの最大収納枚数が２０００枚とすると、空のカセットに紙幣を装填する場合は、バッチ枚数は、例えば２０００枚である。結束スタッカ４及び非結束スタッカ５の集積容量は、５００枚以下の枚数に設定されていることが多い。そのため、大束枚数やカセットの最大収納枚数は、結束スタッカ４や非結束スタッカ５の集積容量を超える場合がある。また、ＡＴＭ装填業務において装填枚数が２５００枚の場合、バッチ枚数は、例えば２５００枚である。
【００７８】
大束正損分け業務では、結束スタッカ４や非結束スタッカ５の集積容量を超える特定バッチ処理を行うために、例えばバッチ枚数を１００枚（尚、このバッチ枚数は、結束スタッカ４や非結束スタッカ５の集積容量以下である）とした通常のバッチ処理を、１０回、繰り返す。具体的には、１００枚の紙幣が、結束スタッカ４又は非結束スタッカ５に集積されたときに、紙幣処理装置１００は、オペレータが、結束スタッカ４又は非結束スタッカ５から、１００枚の紙幣を取り出すまで、そのスタッカへの新たな紙幣の集積を禁止する。オペレータがそのスタッカから紙幣を取り出した後に、紙幣処理装置１００はそのスタッカへの新たな紙幣の集積を再開し、１００枚の紙幣が、結束スタッカ４又は非結束スタッカ５に再び集積されるようにする。そして、オペレータが紙幣を取り出すまで待機する。このように、正損バッチ機能を実行するときには、オペレータは、結束スタッカ４又は非結束スタッカ５に１００枚の紙幣が集積される度に、そこから紙幣を取り出すことになる。それによって、小束を作成するための１００枚の紙幣の束を、１０個、作成する。
【００７９】
大束正損分け業務では、１０００枚の正券が分類された（つまり、バッチが達成した）ときに、大束に貼付するためのラベルを印刷しかつ、そのラベルを大束に貼り付ける。カセット装填業務では、例えば２０００枚のＡＴＭ正券が分類されたときに、装填が完了したカセットを所定の位置に置き、次に装填するカセットを手元に準備する。
【００８０】
このように、大束正損分け業務、カセット装填業務、及びＡＴＭ装填業務においては、紙幣の取り出しを繰り返し行うことになるが、そのどこかで、１０００枚や２０００枚の特定バッチ処理が完了することになる。大束を次々と作成する場合や、カセットの装填を次々に行う場合、オペレータは、いつ、特定バッチ処理が完了したのかがわかりにくい。また、特定バッチ達成時にオペレータは、ラベルの貼付やカセットの準備といった付帯作業を行わなければならない。これらのことが、オペレータのミスを招く虞がある。
【００８１】
そこで、この紙幣処理装置１００では、繰出停止機能を設けている。繰出停止機能は、前述したように、大束正損分け業務、カセット装填業務、及びＡＴＭ装填業務において、特定バッチ処理が完了したことを条件として紙幣処理装置１００の繰出動作を停止する機能である。さらに、特定バッチ処理が完了した後に、オペレータが結束スタッカ４又は非結束スタッカ５から紙幣を取り出したとしても、紙幣処理装置１００の繰出動作を停止させたままにすることが好ましい。こうすることで、オペレータは、一つの正損バッチ処理が完了したことを確実に認識することが可能になる。オペレータは、例えば付帯作業を行った後に、紙幣処理装置１００において所定の操作（例えばタッチパネル１７に設けられた再開ボタンの選択操作）を行うことによって、紙幣処理装置１００の繰出動作を再開させることが可能である。これにより、ミスを未然に回避することが可能になる。繰出停止機能は、結束部９において作成した結束紙幣が、投出部１１から投出される場合にも有効である。
【００８２】
一方で、例えば複数のオペレータが協同して一つの業務を遂行している場合等では、特定バッチ処理が完了したことを受けて紙幣処理装置１００の繰出動作を停止せずとも、正確に業務を遂行することが可能である。そのため、この紙幣処理装置１００は、繰出停止機能を、オペレータが有効及び無効にすることが可能に構成されている。繰出停止機能をＯＮにしたとき（有効にしたとき）には、前述したように、特定バッチが達成された時点で紙幣処理装置１００の繰出動作を停止すると共に、紙幣を結束スタッカ４又は非結束スタッカ５から取り出したとしても、紙幣処理装置１００の繰出動作が停止したままになる。紙幣処理装置１００の動作の再開は、オペレータの操作による。一方、繰出停止機能をＯＦＦにしたとき（無効にしたとき）には、特定バッチ処理が完了しても、その特定バッチ処理のために使用している結束スタッカ４又は非結束スタッカ５以外のスタッカに紙幣を集積できる場合には、紙幣処理装置１００の繰出動作を停止しない。さらに、特定バッチ処理のために使用している結束スタッカ４又は非結束スタッカ５から紙幣を取り出した時に、集積センサ４５、５２がそのことを検知して、そのスタッカへの紙幣の集積動作を自動的に再開する。
【００８３】
尚、正損バッチ機能等の特定バッチ処理に限らず、通常のバッチ処理においても、繰出停止機能を有効にしてもよい。
【００８４】
図５は、ラベル印刷機能において印刷されるラベルＬＡを例示している。ラベルＬＡには、例えば銀行情報（支店名、支店番号）、装置情報（装置のシリアル番号）、大束作成日時、紙幣情報（大束作成を開始した一枚目の紙幣の記番号、金種、大束に含まれる合計枚数、合計金額）、大束を作成したオペレータ名、及び、それらの情報の一部、又は、全部が格納された二次元コードが印刷される。これらの情報の以外の情報がラベルＬＡに印刷される場合もある。また、これらの情報の一部のみがラベルＬＡに印刷される場合もある。
【００８５】
〈紙幣処理装置の動作設定〉
（１）〜（５）の各機能は、前述した各業務の遂行に常に必要ではなく、業務によっては、不要な機能もある。例えば、正損分け業務においては、正損バッチ機能は不要であるが、大束正損分け機能においては、正損バッチ機能は必要である。従って、紙幣処理装置１００を、各業務の遂行に利用しようとすれば、必要な機能については、それを有効にしかつ、不要な機能については、それを無効にする設定をしなければならない。
【００８６】
この紙幣処理装置１００は、オペレータによる機能の設定を容易にするために、前述した業務の中から、これから行おうとする業務を選択可能に構成されている。オペレータが業務を選択したときに、前記（１）〜（５）の各機能の内、不要な機能は、自動的に無効となり、それ以外の機能についてのみ、オペレータは、有効・無効の設定、及び、機能を有効にする場合は、その機能の実行に係る詳細な設定が可能となるよう構成されている（つまり、第１モード）。
【００８７】
紙幣処理装置１００はまた、前記第１モードでの動作の他に、（１）〜（５）の機能の一つ一つについて、有効にするか、無効にするかを設定すると共に、機能を有効にする場合に、その詳細な設定（例えば正損バッチ機能であれば、そのバッチ枚数等）を、手動で行うモード（つまり、第２モード）も有している。
【００８８】
図４は、紙幣処理装置１００において選択可能な業務と、紙幣処理装置１００の機能設定との対応を例示している。図４に示す対応関係は、紙幣処理装置１００に記憶されており、制御部１２０は、この対応関係に従って、紙幣処理装置１００を動作させる。
【００８９】
同図において「○」で示す機能は、業務の選択時に設定が可能に構成される機能である。「−」で示す機能は、業務の選択時に設定が不可に構成される機能である。つまり、業務の遂行に不要な機能は、オペレータが業務を選択することに伴い自動的に無効となる。
【００９０】
具体的に、結束機能は、預入業務、払出業務、正損分け業務、大束正損分け業務、カセット回収業務、カセット装填業務、ＡＴＭ回収業務、ＡＴＭ装填業務、及び記番号記録業務の全ての業務において設定可能である。また、搬送カテゴリ設定機能も、全ての業務において設定可能となる。
【００９１】
正損バッチ機能は、大束正損分け業務、カセット装填業務、及びＡＴＭ装填業務においてのみ、設定可能であり、その他の業務では設定不可（つまり、無効）である。また、繰出停止機能も、正損バッチ機能と同様に、大束正損分け業務、カセット装填業務、及びＡＴＭ装填業務においてのみ、設定可能であり、その他の業務では設定不可（つまり、無効）である。ラベル印刷機能は、大束正損分け業務においてのみ、設定可能である。カセット回収業務、カセット装填業務、ＡＴＭ回収業務、ＡＴＭ装填業務、記番号記録業務については、ここに示す例では、仕様として実施しない。つまり、カセット回収業務、カセット装填業務、ＡＴＭ回収業務、ＡＴＭ装填業務、及び、記番号記録業務の各業務において、ラベル印刷を行うようにしてもよい。尚、ここに示す例では、ラベル印刷機能は、預入業務、払出業務、及び正損分け業務においては、不要とされているため設定不可であるが、これらの業務においても設定可能として、ラベル印刷を行うようにしてもよい。
【００９２】
次に、業務選択時の機能設定について、紙幣処理装置１００のタッチパネル１７に表示される画面の例を参照しながら、具体的に説明をする。尚、以下の説明に用いる画面Ｓ１、Ｓ３、Ｓ４、Ｓ９〜Ｓ１２は一例であり、画面構成は適宜変更が可能である。
【００９３】
先ず、図６は、初期画面Ｓ１の例を示している。この初期画面Ｓ１は、紙幣処理装置１００を起動し、ログイン処理を行った後に、タッチパネル１７に表示される。初期画面Ｓ１には、各業務を選択するためのボタンが含まれる。初期画面Ｓ１には、預入業務選択ボタン、払出業務選択ボタン、正損分け業務選択ボタン、大束正損分け業務選択ボタン、カセット回収業務選択ボタン、カセット装填業務選択ボタン、ＡＴＭ回収業務選択ボタン、ＡＴＭ装填業務選択ボタン、及び記番号記録業務選択ボタンが含まれる。初期画面Ｓ１にはまた、第２モード選択ボタンが含まれている。第２モード選択ボタンは、前述したように、業務の選択を行うのではなく、各機能の有効・無効の設定、及び、有効にする場合の当該機能の詳細な設定を、オペレータが一つ一つ行うモードである。オペレータは、初期画面Ｓ１において、いずれかの業務選択ボタンを選択することによって、これから行おうとする業務を選択する。業務選択ボタンを選択したときには、紙幣処理装置１００は、第１モードで動作することになる。また、第２モード選択ボタンを選択したときには、紙幣処理装置１００は、第２モードで動作することになる。尚、初期画面Ｓ１に表示されるボタンは、当該紙幣処理装置１００を利用する業務に応じて、適宜、削除及び追加することが可能である。
【００９４】
図７は、初期画面Ｓ１において、大束正損分け業務選択ボタンを選択した場合に、タッチパネル１７に表示される機能設定画面Ｓ３を例示している。この機能設定画面Ｓ３には、その左側に、第１及び第２結束スタッカ４Ａ、４Ｂ、並びに、第１及び第２非結束スタッカ５Ａ、５Ｂに集積する紙幣を設定する項目（つまり、搬送カテゴリを設定する項目）を含んでいる。図４に示すように、正損分け業務において搬送カテゴリ設定機能は有効であるため、当該機能設定画面Ｓ３において、その設定が可能に構成されている。図７に示す機能設定画面Ｓ３では、紙幣処理装置１００における第１及び第２結束スタッカ４Ａ、４Ｂ、並びに、第１及び第２非結束スタッカ５Ａ、５Ｂの配置に対応するように、第１及び第２結束スタッカ４Ａ、４Ｂ、並びに、第１及び第２非結束スタッカ５Ａ、５Ｂに集積する紙幣を設定する項目が配置されている。図７の例では、第１及び第２結束スタッカ４Ａ、４Ｂに、ＡＴＭ正券（ＡＴＭ）を集積し、第１非結束スタッカ５Ａに、損券（ＵＮＦＩＴ）を集積し、第２非結束スタッカ５Ｂに、テラー正券（ＴＬＲ）を集積する設定となっている。
【００９５】
また、大束正損分け業務においては、正損バッチ機能、繰出停止機能、及びラベル印刷機能がそれぞれ有効である（図４参照）。従って、機能設定画面Ｓ３では、これらの各項目の設定が可能である。
【００９６】
図７に示す例では、紙幣の正損は３つのレベルに分類される。よって、バッチ枚数を設定する項目は、ＡＴＭ正券（ＡＴＭ）、テラー正券（ＴＬＲ）、及び損券（ＵＮＦＩＴ）のそれぞれについて、バッチ枚数を設定することが可能である。図７の例では、ＡＴＭ正券について、バッチ枚数が１０００枚に設定され、テラー正券、及び損券についてはバッチ枚数が設定されていない（つまり、０枚）。尚、紙幣の正損を２つのレベルに分類する場合は、バッチ枚数を設定する項目は、正券（ＦＩＴ）及び損券（ＵＮＦＩＴ）のそれぞれについて、バッチ枚数を設定する。
【００９７】
ここで、機能設定画面Ｓ３においては、バッチ枚数の設定に際し、図８に示すようにプルダウンメニューが表示されるように構成されている。オペレータは、プルダウンメニューの中から、所望のバッチ枚数を選択することで、バッチ枚数を設定することが可能である。プルダウンメニューによって、オペレータのバッチ枚数の設定の手間を省くことが可能になる。尚、プルダウンメニューを採用する代わりに、図９に示すように、バッチ枚数の候補を含む枚数選択画面Ｓ４を、タッチパネル１７に表示するよう構成してもよい。この構成でも、オペレータのバッチ枚数の設定の手間を省くことが可能になる。尚、プルダウンメニューや枚数選択画面Ｓ４の表示内容は、オペレータがカスタマイズすることができるようになっている。例えば、プルダウンメニュー中の選択項目や、枚数選択画面Ｓ４に表示されるバッチ枚数の候補を追加したり、削除したり、内容を修正したりすることができる。尚、プルダウンメニューや枚数選択画面Ｓ４の表示に代えて、または、これらの表示に加えて、「１００」や「１０００」といった数字を、オペレータが手入力することにより、バッチ枚数の設定を可能に構成してもよい。
【００９８】
図７の例では、繰出停止機能について、ＡＴＭ正券はＯＮに設定され（つまり、ＡＴＭ正券の特定バッチ達成後、紙幣処理装置１００の繰出動作を停止する。さらに、結束スタッカ４、又は、非結束スタッカ５から紙幣を取り出した後、オペレータが再開操作（例えば、タッチパネル１７上に用意されたボタンの選択）を行うまで、紙幣処理装置１００の繰出動作を再開しない）、それ以外はＯＦＦに設定されている。具体的には、第１及び第２結束スタッカ４Ａ、４Ｂに集積されたＡＴＭ正券の累積枚数が１０００枚になった時点で、紙幣処理装置１００の繰出動作が停止される。繰出停止機能は、正損バッチ処理を行うことを前提とした機能であるため、機能設定画面Ｓ３においては、バッチ枚数が設定されない間は、繰出停止機能の設定が不可となり（つまり、ＯＦＦのままになる）、バッチ枚数が設定されると、繰出停止機能の設定が可能となるように構成してもよい。
【００９９】
さらに、図７の例では、ラベル印刷機能について、ＡＴＭ正券はＯＮに設定され、それ以外はＯＦＦに設定されている。
【０１００】
オペレータは、機能設定画面Ｓ３において、設定可能に構成された項目について設定を行う。その後、適用（ＡＰＰＬＹ）ボタンを選択することによって、選択した業務（ここでは、大束正損分け業務）についての機能設定が完了する。尚、機能設定画面Ｓ３の画面右上には、ログインしたオペレータのＩＤが表示されている。
【０１０１】
このように、初期画面Ｓ１において、いずれかの業務選択ボタンを選択したときには、紙幣処理装置１００は第１モードとなり、制御部１２０は、図７に例示するような、選択した業務に対応する機能設定画面Ｓ３をタッチパネル１７に表示する。オペレータは、この機能設定画面Ｓ３において、設定可能な項目についてのみ、設定を行うことによって、紙幣処理装置１００の設定が、選択した業務において利用可能な設定となり、紙幣処理装置１００は、選択した業務に利用可能に動作する。機能設定画面Ｓ３は、前述の通り、選択した業務に応じて、当該業務に必要となり得る機能の設定のみが可能となり、業務に不要な機能の設定が不可となるため、オペレータによる設定の手間を省くことが可能になり、業務効率が向上する。
【０１０２】
一方、初期画面Ｓ１において、第２モード選択ボタンを選択したときには、紙幣処理装置１００は第２モードとなり、紙幣処理装置１００が有する全ての機能に対し、設定を行う機能設定画面が、タッチパネル１７に表示される（図示省略）。オペレータは、この設定画面において、機能の一つ一つについて、有効・無効の設定、及び、有効時には、その機能の詳細を設定することになる。第２モードにおいても、必要な設定を行えば、紙幣処理装置１００を、前述した各業務に利用することが可能になる。
【０１０３】
第１モード及び第２モードのいずれにおいても、機能設定画面において、適用ボタンを選択すれば、紙幣処理装置１００は、動作が可能なスタンバイ状態に移行する。前述したように、ホッパ部２に紙幣を載置し、動作中にタッチパネル１７に表示される画面内の開始ボタンを選択すれば、設定された内容に従って、紙幣処理装置１００が動作をする。
【０１０４】
尚、前記の構成では、第１モードでは、機能設定画面Ｓ３において、業務に必要な機能の設定をオペレータが行うように構成している。これとは異なり、各業務に対応するデフォルトの機能設定を予め設けておき、初期画面Ｓ１において、いずれかの業務を選択したときには、機能設定画面Ｓ３を表示することなく、デフォルトの機能が自動的に設定され（つまり、業務に必要な機能は有効に、不要な機能は無効にされ）、紙幣処理装置１００がスタンバイ状態に移行するように構成してもよい。こうすることで、ユーザの設定の手間を大幅に省くことが可能になる。尚、デフォルトの機能設定を設ける構成においては、オペレータが、必要に応じて機能設定を変更可能に構成してもよい。
【０１０５】
〈出力用データファイルの説明〉
紙幣処理装置１００は、前述した業務に利用されるときに、識別部３が読み取った紙幣情報を含む出力用データファイルを作成すると共に、作成した出力用データファイルを、外部に出力する機能を有する。尚、紙幣処理装置１００は、所定の期間は、出力用データファイルを記憶している。出力用データファイルの作成は、制御部１２０が行う。出力用データファイルには、紙幣の追跡等が可能になるように、現物紙幣に紐付けられる紐付けデータ（紐付け情報）が含まれる。例えば紙幣の記番号を検索キーとして、出力用データファイルから紙幣を特定したときに、紐付けデータに基づいて、当該紙幣に係る顧客や、紙幣が装填されたカセット、又は、紙幣が装填されたＡＴＭ等を追跡することが可能になる。
【０１０６】
図１０は、前述した各業務における現物紙幣の管理単位を示している。紙幣処理装置１００が作成する出力用データファイルは、現物紙幣の管理単位と対応する。以下、各業務の管理単位、及び、作成される出力用データファイルについて、並びに、出力用データファイルに含まれる紐付けデータについて説明をする。
【０１０７】
先ず、預入業務、及び、払出業務は共に、取引が現物紙幣の管理単位である。預入業務、及び、払出業務において作成する出力用データファイルの作成単位も、取引である。つまり、預入業務、及び、払出業務では、一つの取引において、紙幣処理装置１００が処理を行った現物紙幣をまとめて管理すると共に、その一つの取引において、紙幣処理装置１００が処理を行った紙幣全ての情報を、一つの出力用データファイルにまとめる。また、預入業務及び払出業務について、現物紙幣の紐付けの対象は当該取引に係る顧客であり、出力用データファイルに含める紐付けデータは、当該顧客を特定するＩＤ（ユーザＩＤ）である。
【０１０８】
正損分け業務では、現物紙幣の管理単位の規定がない。正損分け業務において作成する出力用データファイルの作成単位は、正損カテゴリである。つまり、正損分け業務において、例えば、紙幣の正損を２つのレベルに分類する場合には、当該業務において、紙幣処理装置１００が処理を行った紙幣のうち、正券の情報を、一つの出力用データファイルにまとめ、損券の情報を、別の一つの出力用データファイルにまとめる。同様に、紙幣の正損を３つのレベルに分類する場合には、ＡＴＭ正券の情報を、一つの出力用データファイルにまとめ、テラー正券の情報を、別の一つの出力用データファイルにまとめ、損券の情報を、さらに別の一つの出力用データファイルにまとめる。また正損分け業務においては、紐付けが不要であるため、出力用データファイルに紐付けデータは含まれない。
【０１０９】
大束正損分け業務では、現物紙幣のうち大束単位に分類された紙幣の管理単位は大束である。また、大束正損分け業務において、そのような紙幣について作成する出力用データファイルの作成単位は、大束である。従って、大束正損分け業務では、現物紙幣のうち大束単位に分類された紙幣は、正券、又は、損券によって作成した大束単位で管理を行うと共に、作成した大束毎に、当該大束に含まれる紙幣全ての情報を、一つの出力用データファイルにまとめる。大束正損分け業務においては、現物紙幣の紐付け対象が大束紙幣であり、紐付けデータは、当該大束に付与された大束ＩＤである。
【０１１０】
また、大束正損分け業務では、大束単位に分類されなかった紙幣（例えば、紙幣処理装置１００が識別を行った結果、正券として分類されたものの、大束単位にまとめることができなかった端数紙幣等）は、別途管理される。すなわち、現物紙幣のうち、大束単位に分類されなかった紙幣の管理単位は「大束以外」である。また、そのような紙幣について作成する出力用データファイルの作成単位は、正損分け業務と同様に、正損カテゴリである。
【０１１１】
従って、大束正損分け業務では、大束単位で現物紙幣が管理されると共に、大束単位に分類された紙幣の情報が、一つのファイルにまとめられることになる。一方で、紙幣処理装置１００が処理を行ったものの、大束単位に分類されなかった現物紙幣は、別途管理されると共に、大束単位に分類されなかった紙幣の出力用データファイルが、別途作成されることになる。尚、大束正損分け業務において、大束単位に分類できなかった紙幣については、紐付けが不要であるため、出力用データファイルに紐付けデータは含まれない。
【０１１２】
カセット回収業務では、現物紙幣の管理単位は、回収対象のカセットであり、出力用データファイルの作成単位は、当該カセットである。カセット回収業務においては、回収対象のカセット単位で、現物紙幣が管理されると共に、当該カセットから回収された紙幣の全ての情報が、一つの出力用データファイルにまとめられる。カセット回収業務では、紐付け対象は、回収対象のカセットであり、紐付けデータは、当該カセットを特定するカセット番号である。
【０１１３】
また、ＡＴＭ回収業務も、カセット回収業務に準じ、ＡＴＭ回収業務においては、回収対象のＡＴＭ単位で、現物紙幣が管理されると共に、当該ＡＴＭから回収された紙幣の全ての情報が、一つの出力用データファイルにまとめられる。ＡＴＭ回収業務において、紐付け対象は、回収対象のＡＴＭであり、紐付けデータは、当該ＡＴＭを特定するＡＴＭ番号である。
【０１１４】
カセット装填業務では、現物紙幣の管理単位は、装填対象のカセットである。出力用データファイルの作成単位は、カセットである。また、カセット装填業務では、様々な理由によってカセットに装填することができなかった紙幣（例えば、紙幣処理装置１００が識別を行った結果、ＡＴＭ正券でなかった等の紙幣。「装填カセット以外」）を、別途管理すると共に、当該装填できなかった紙幣（装填紙幣以外）に関する出力用データファイルを、別途、作成する（「装填紙幣以外まとめて」）。従って、カセット装填業務では、装填カセット単位で現物紙幣が管理されると共に、紙幣処理装置１００が処理を行ったものの、カセットに装填できなかった現物紙幣が、別途管理されかつ、カセットに装填された紙幣の情報が、一つのファイルにまとめられると共に、カセットに装填されなかった紙幣の出力用データファイルが、別途作成される。カセット装填業務では、紐付け対象は、装填対象のカセットであり、紐付けデータは、当該カセットを特定するカセット番号である。また、カセット装填業務において、カセットに装填されなかった紙幣については、紐付け不要であり、出力用データファイルに、紐付けデータは含まれない。
【０１１５】
ＡＴＭ装填業務も、カセット装填業務に準じ、ＡＴＭ装填業務では、ＡＴＭ単位で現物紙幣が管理されると共に、紙幣処理装置１００が処理を行ったものの、ＡＴＭに装填できなかった現物紙幣が、別途管理される。ＡＴＭに装填された紙幣の情報が、一つの出力用データファイルにまとめられると共に、ＡＴＭに装填されなかった紙幣の出力用データファイルが、別途作成される。ＡＴＭ装填業務では、紐付け対象は、装填対象のＡＴＭであり、紐付けデータは、当該ＡＴＭを特定するＡＴＭ番号である。ＡＴＭ装填業務において、ＡＴＭに装填されなかった紙幣については、紐付け不要であり、出力用データファイルに紐付けデータは、含まれない。
【０１１６】
記番号記録業務では、現物紙幣の記録単位の規定がない。記番号記録業務では、設定した枚数単位で、一つの紙幣出力用データファイルが作成される。また、記番号記録業務では、紐付け不要であり、出力用データファイルに紐付けデータは、含まれない。
【０１１７】
紙幣処理装置１００が第１モードで動作するときには、選択した業務に対応するように、出力用データファイルの作成単位、及び、その出力用データファイルに含める紐付けデータが、自動的に設定される（図４参照）。一方、紙幣処理装置１００が第２モードで動作するときには、オペレータが、出力用データファイルの作成単位、及び、その出力用データファイルに含める紐付けデータを、それぞれ手動で設定する。
【０１１８】
図１１は、出力用データファイルの構成を概念的に示している。出力用データファイルは、少なくとも紙幣一枚分の紙幣に関する情報（つまり、紙幣データ）を含む。尚、図１１に示す例では、出力用データファイルは、紙幣Ｘ枚分の紙幣データと、紐付けデータとを含んでいる。
【０１１９】
紙幣データは、ここでは、図１１に示すように、処理日時と、処理ＩＤと、ＲＪフラグと、ＲＪ要因と、通貨コードと、金種と、発行年数と、新旧情報と、正損情報と、搬送先と、結束ＩＤと、記番号と、イメージデータＩＤとから構成されている。尚、紙幣データは、図１１に示す例に限定されない。紙幣データに含める項目を、図１１の例よりも少なくしたり、図１１の例に存在しない項目を紙幣データに含めたりしてもよい。
【０１２０】
具体的に、処理日時は、紙幣処理装置１００が紙幣を計数処理した日時を示す情報である。処理ＩＤは、紙幣処理装置１００が処理を実行する毎に、当該処理に対して付与されるＩＤである。ＲＪフラグは、紙幣がリジェクト紙幣であるか否かを示すフラグである。ＲＪ要因は、リジェクト紙幣であると判定された紙幣が、指定外紙幣、異常紙幣、搬送異常紙幣、及び偽券のうちのいずれに該当するのかを示す情報である。発行年数は、紙幣の発行年であり、例えば西暦の下２桁の年数によって表すことが可能である。新旧情報は、前述したように、紙幣の版を示す情報である。正損情報は、紙幣の正損を特定する情報であり、詳しくは、紙幣の正損を３つのレベルで分類する場合であれば、識別された紙幣が、前述のＡＴＭ正券、テラー正券、及び損券のいずれに該当するかを示す情報である。搬送先は、紙幣処理装置１００において、紙幣が搬送されたスタッカを示す情報であり、第１結束スタッカ４Ａ、第２結束スタッカ４Ｂ、第１非結束スタッカ５Ａ、及び、第２非結束スタッカ５Ｂのいずれに搬送されたのかを示す情報である。結束ＩＤは、紙幣処理装置１００が紙幣の結束を行ったときに、当該結束紙幣に付与されるＩＤである。イメージデータＩＤは、紙幣の識別に使用したイメージデータを特定するために付与されるＩＤである。イメージデータそのものは、当該出力用データファイルに含まれない。こうすることで、出力用データファイルのデータ量を削減することが可能になる。尚、イメージデータは、別途、紙幣処理装置１００の記憶部１３１、又は、上位端末１４０において、イメージデータＩＤと対応付けて記憶及び管理される。
【０１２１】
図１１の例に追加可能な項目としては、例えば、紙幣処理装置１００が第１モードで動作したのか、又は、第２モードで動作したのかを特定するための情報や、紙幣処理装置１００を操作したオペレータを特定するためのオペレータＩＤや、紙幣処理装置１００を特定するための処理機ＩＤや、カセット番号（カセット回収業務、又はカセット装填業務に限る）や、ＡＴＭ番号（ＡＴＭ回収、又はＡＴＭ装填業務に限る）や、偽券判定の詳細（透かし異常、磁気異常、及び記番号異常など）や、各バッチ又は取引における金種別枚数又は総額などが挙げられる。
【０１２２】
出力用データファイルは、予め設定された所定のフォーマットで作成される。出力用データファイルのフォーマットは、変更可能に構成されている。変更可能なフォーマットには、紙幣処理装置１００の標準フォーマット、及び、上位端末１４０におけるデータ管理に適したフォーマット等が含まれる。このように構成することで、出力用データファイルのフォーマットを、情報の出力先において要求されるフォーマットに適合させることができる。フォーマットの設定・変更は、図示は省略するが、タッチパネル１７に表示されるフォーマット設定画面において行うことが可能である。尚、出力用データファイルのフォーマットは、業務毎に設定されていたり、スタッカ４、５毎に設定されていたりしてもよい。
【０１２３】
〈紙幣処理装置の動作中の機能〉
紙幣処理装置１００は、選択した業務に応じて、紙幣処理装置１００の動作中に、タッチパネル１７に表示される画面の構成が異なる。つまり、紙幣処理装置１００の動作中には、実行中の業務に適したインターフェースが、オペレータに提供される。業務の選択に応じて、当該業務に対応するインターフェースを自動的に切り替えてオペレータに提供することにより、紙幣処理装置１００の使い勝手が向上する。
【０１２４】
図１２は、大束正損分け業務において、紙幣処理装置１００の動作中に、タッチパネル１７に表示される画面Ｓ９を例示している。この画面Ｓ９においては、第１及び第２結束スタッカ４Ａ、４Ｂ、並びに、第１及び第２非結束スタッカ５Ａ、５Ｂに集積する紙幣の正損レベルが明示され、各スタッカに集積されている紙幣の枚数が表示されている。具体的には、結束スタッカ４に集積される紙幣が正券であり、第１結束スタッカ４Ａに２０枚の正券が集積されていることが示されている。また、非結束スタッカ５に集積される紙幣が損券であり、第１非結束スタッカ５Ａに５０枚の損券が集積されていることが示されている。
【０１２５】
また、この画面Ｓ９では、これまでに処理を行った正券の総枚数、及び、損券の総枚数が表示されると共に、正券及び損券のバッチに至った回数がそれぞれ表示される。さらに、現時点で集積中の紙幣の枚数、これまでに作成をした大束の数、及び、設定されている大束の枚数（図例では１０００枚）が、表示されている。また、処理を行った紙幣の総額も表示されている。
【０１２６】
この画面Ｓ９にはまた、承認（ＡＣＣＥＰＴ）ボタンと、消去（ＣＬＥＡＲ）ボタンと、スタート（ＳＴＡＲＴ）ボタンとが設けられている。処理の完了後に、オペレータが承認（ＡＣＣＥＰＴ）ボタンを選択することにより、一つの処理、つまり一取引を完了することができる。次の処理を行う際には、ホッパ部２に紙幣を載置して、開始（ＳＴＡＲＴ）ボタンを選択する。これにより、前の処理の計数結果が消去され、次の処理が開始する。処理の途中で取引をキャンセルする場合は、消去（ＣＬＥＡＲ）ボタンを選択することにより、前の処理の計数結果が消去され、次の処理を開始することができる。
【０１２７】
この画面Ｓ９にはまた、ラベルＬＡの再印刷を行うためのボタン（ＲＥ−ＰＲＩＮＴボタン）が設けられている。前述したように、大束正損分け業務においては、バッチが達成したときに、大束に貼付するためのラベルＬＡを印刷する。ラベル印刷機能は、図４に示すように、大束正損分け業務においてのみ設定可能な機能であるため、ＲＥ−ＰＲＩＮＴボタンは、大束正損分け業務において表示される画面Ｓ９にのみ表示される。
【０１２８】
オペレータは、印刷されたラベルＬＡをもう一度印刷するときに、ＲＥ−ＰＲＩＮＴボタンを選択する。これにより、直近に印刷をしたラベルＬＡが、もう一度印刷される。ＲＥ−ＰＲＩＮＴボタンは、印刷されたラベルＬＡの印字状態が悪かった場合や、ラベルＬＡの貼付に失敗をして、新たなラベルＬＡが必要になった場合等に、利用される。ＲＥ−ＰＲＩＮＴボタンを選択することによってラベルＬＡに印刷される大束に関する情報は、記憶部１３１の一時記憶領域に記憶されている情報である。この一時記憶領域に記憶されている情報は、新たにバッチが達成したときには、新たな情報に上書きされる。この点で、ＲＥ−ＰＲＩＮＴボタンの機能は、後述するように、記憶部１３１が記憶している大束に関する情報を検索して、印刷をする機能とは相違する。
【０１２９】
また、この紙幣処理装置１００では、大束正損分け業務において、大束に貼付するためのラベルＬＡを印刷することができないとき、例えば、ラベルの用紙切れや、プリンタ１４１の故障等のときには、バッチが達成したときに、ラベルＬＡの印刷をスキップして、大束正損分け業務を継続するよう構成されている。こうすることで、大束正損分け業務を効率的に行うことが可能になる。この場合に、紙幣処理装置１００は、プリンタ１４１が復旧してラベルＬＡの印刷が可能になった後で、印刷をスキップしたラベルＬＡを印刷することが可能に構成されている。この構成についての詳細は後述する。尚、大束正損分け業務の継続は、繰出停止機能がＯＮのときには、オペレータが紙幣処理装置１００の動作の再開を操作したときに、紙幣処理装置１００の処理が再開し、繰出停止機能がＯＦＦのときには、オペレータが再開を操作しなくても、紙幣処理装置１００の処理が再開することになる。
【０１３０】
〈出力用データファイルの出力タイミング〉
紙幣処理装置１００において処理を行うと、バックグラウンドで、選択した業務に対応する作成単位で、出力用データファイルが作成される（図４参照）。紙幣処理装置１００の制御部１２０は、作成した出力用データファイルを、通信部１３２を通じて上位端末１４０に出力する。尚、上位端末１４０に出力することに代えて、又は、上位端末１４０に出力することに加えて、制御部１２０は、入出力部１３３を通じて、メモリカード１４２や記憶ドライブ１４３に出力するとしてもよいし、別途のプリンタにおいて、紙幣データ等を印刷するとしてもよい。さらに、図示を省略する外部のディスプレイに、紙幣データ等を表示するとしてもよい。
【０１３１】
ここで、出力用データファイルの作成単位は、業務に対応して異なるため、その作成タイミングも、業務に対応して異なる。紙幣処理装置１００において、出力用データファイルの出力タイミングを一定にしたのでは、出力用データファイルを適切なタイミングで出力することができなくなる虞がある。業務に応じて出力用データファイルの作成単位を変えることに対応して、出力用データファイルの出力タイミングも変えることが必要である。
【０１３２】
そこで、紙幣処理装置１００は、複数の出力条件を予め設定しておき、複数の出力条件から選択した出力条件に基づいて、出力用データファイルの出力タイミングを制御する。詳しくは、制御部１２０は、適宜選択した出力条件の成立後に、出力用データファイルを出力するよう、制御部１２０が出力するタイミングを制御するよう構成されている。具体的に、第１モードでは、出力用データファイルの出力を行うための条件が、業務に対応して設定されている。業務を選択することによって、出力条件も自動的に選択される。第２モードでは、オペレータが、複数の条件から一つの出力条件を選択する。
【０１３３】
先ず、図４を参照しながら、第１モードにおいて、各業務に対応して設定されている出力用データファイルの出力条件について、説明する。
【０１３４】
預入業務及び払出業務の出力条件は、一取引が完了したことである。一取引は、タッチパネル１７に表示されている承認ボタンが選択されることで完了する。この出力条件は、オペレータが出力用データファイルの出力を指示する操作を行ったこと、と言い換えることも可能である。承認ボタンの選択以降に、紙幣処理装置１００の制御部１２０は、取引毎に作成した出力用データファイルを出力する。ここで「承認ボタンの選択以降」は、承認ボタンを選択したとき、及び、その後を含む。以下の説明においても同様である。従って、承認ボタンの選択したタイミングで、制御部１２０は出力用データファイルを出力してもよいし、承認ボタンの選択後、所定の遅れ時間経過後に、制御部１２０は出力用データファイルを出力してもよい。尚、取引の完了は、承認ボタンが選択されることで完了するものに限られない。例えば、取引は、上位端末１４０からの指示により完了するものとしてもよい。また、上位端末１４０や、タッチパネル１７に表示されている画面で顧客を特定するＩＤを入力できるようにすれば、取引は、次の預入業務または払出業務を行うために別の顧客を特定するＩＤが入力されることで完了するものとしてもよい。
【０１３５】
正損分け業務の出力条件は、紙幣処理装置１００の正損分け処理が最後に行われてから所定時間（例えば１０分）が経過したこと、及び、正損分け処理をした紙幣の枚数が所定枚数（例えば２０００枚）に達したことの、いずれか一方が成立したことである。条件成立以降の所定のタイミングで、制御部１２０は、それまでに処理を行った、正損レベルごとの出力用データファイルをそれぞれ出力する。尚、正損分け業務の出力条件は、オペレータが、前記２つの条件の内のいずれか一方の条件を選択してもよい。この場合、制御部１２０は、その選択した条件が成立した以降のタイミングで、出力用データファイルを出力する。
【０１３６】
大束正損分け業務では、処理した現物紙幣を大束単位で管理できる場合の出力条件は、一つの大束作成のための特定バッチ処理が完了したことである。具体的には、一つの大束作成のための特定バッチ処理が完了した以降の所定のタイミング（完了した時点、または完了した時点から所定の時間が経過した時点）で、制御部１２０は、大束単位で作成した出力用データファイルを出力する。大束正損分け業務において、繰出停止機能が有効であるときには、制御部１２０は、特定バッチ処理の最後の通常バッチ処理が完了した以降のタイミングで、出力用データファイルを出力するようにしてもよい。また、オペレータが、最後の通常バッチ処理が完了したスタッカ４，５から紙幣を取り出した以降のタイミングで、制御部１２０は、出力用データファイルを出力するようにしてもよい。さらに、オペレータが、次の特定バッチ処理の再開を指示したとき以降のタイミングで、制御部１２０は、出力用データファイルを出力するようにしてもよい。また、繰出停止機能が無効であるときには、制御部１２０は、特定バッチ処理の最後の通常バッチ処理が完了した以降の適宜のタイミングで、出力用データファイルを出力すればよい。
【０１３７】
ここで、例えば、特定バッチ枚数が１０００枚に設定された大束正損分け業務において、５１００枚の紙幣が、紙幣処理装置１００に取り込まれた場合を考える。この場合、制御部１２０は、１０００枚×５束＝５０００枚分の紙幣データを、５つの出力用データファイルとして、順次、出力する。一方、５１００枚−５０００枚＝１００枚分の端数紙幣は、現物紙幣の管理単位が「大束以外」の紙幣として管理される。大束正損分け業務が完了し、タッチパネル１７に表示されている承認ボタンを、オペレータが選択したことを条件にして、制御部１２０は、端数紙幣に係る出力用データファイルを、出力するようにしてもよい。あるいは、出力用データファイルへの最後のデータ書き込みから所定時間（例えば１０分）が経過したことを条件として、制御部１２０は、端数紙幣に係る出力用データファイルを、出力するようにしてもよい。
【０１３８】
カセット回収業務の出力条件は、一つのカセットについて回収業務が完了したことである。図示は省略するが、カセット回収業務時にタッチパネル１７に表示される画面には、一つのカセットについて回収業務が完了したときに操作するカセット切り替えボタンが設けられている。制御部１２０は、カセット切り替えボタンが選択操作された以降の所定のタイミングで、当該回収対象のカセット単位で作成した出力用データファイルを出力する。また、一つのカセットについて回収業務が完了し、オペレータがタッチパネル１７に表示されている承認ボタンを選択した場合にも、制御部１２０は、当該回収対象のカセット単位で作成した出力用データファイルを出力する。
【０１３９】
ＡＴＭ回収業務の出力条件も、カセット回収業務と同じであり、一つのＡＴＭについて回収業務が完了したことである。従って、ＡＴＭ回収業務時にタッチパネル１７に表示される画面において、ＡＴＭ切り替えボタンが選択された以降の所定のタイミングで、制御部１２０は、当該回収対象のＡＴＭ単位で作成した出力用データファイルを出力する。また、一つのＡＴＭについて回収業務が完了し、オペレータがタッチパネル１７に表示されている承認ボタンを選択した場合にも、制御部１２０は、当該回収対象のＡＴＭ単位で作成した出力用データファイルを出力する。
【０１４０】
カセット装填業務においては、前述したように、装填カセットを作成単位とする出力用データファイルと、装填紙幣以外の出力用データファイルとの２種類の出力用データファイルを作成する。装填カセット単位の出力用データファイルは、一つのカセットに装填するための特定バッチ処理が完了したことが出力条件である。特定バッチ処理の完了以降の所定のタイミングで、制御部１２０は、当該カセット単位の出力用データファイルを出力する。カセット装填業務において、繰出停止機能が有効であるときには、前述したように、制御部１２０は、特定バッチ枚数に到達した以降のタイミングで、又は、オペレータが、特定バッチ処理の最後の通常バッチ処理が完了したスタッカ４、５から紙幣を取り出した以降のタイミングで、又は、オペレータが次の特定バッチ処理の再開を指示したとき以降のタイミングで、装填カセット単位の出力用データファイルを出力するようにしてもよい。また、繰出停止機能が無効であるときには、制御部１２０は、特定バッチ枚数に到達した以降の適宜のタイミングで、装填カセットに係る出力用データファイルを出力すればよい。
【０１４１】
一方、装填紙幣以外の出力用データファイルの出力条件は、紙幣処理装置１００の計数処理が最後に行われてから所定時間（例えば１０分）が経過すること、及び、計数処理を行った紙幣の枚数が所定枚数（例えば２０００枚）に達すること、の少なくとも一方が成立することである。いずれか一方の条件が成立した以降に、制御部１２０は、出力用データファイルを出力する。尚、オペレータが、前記の２つの条件のいずれか一方を選択してもよい。また、オペレータがタッチパネル１７に表示されている承認ボタンを選択した場合にも、制御部１２０は、それまでに作成した出力用データファイルを出力する。
【０１４２】
ＡＴＭ装填業務の出力条件も、カセット装填業務と同じである。装填ＡＴＭ単位の出力用データファイルの出力条件は、一つのＡＴＭについて装填業務が完了したことである。また、装填紙幣以外のデータファイルの出力条件は、紙幣処理装置１００の計数処理が最後に行われてから所定時間（例えば１０分）が経過すること、及び、計数処理を行った紙幣の枚数が所定枚数（例えば２０００枚）に達すること、の少なくとも一方が成立したことである。また、オペレータがタッチパネル１７に表示されている承認ボタンを選択した場合にも、制御部１２０は、それまでに作成した出力用データファイルを出力する。
【０１４３】
記番号記録業務の出力条件は、紙幣処理装置１００の処理が最後に行われてから所定時間（例えば１０分）が経過したこと、及び、紙幣を計数処理した枚数が所定枚数（例えば２０００枚）に達したこと、の少なくとも一方が成立したことである。また、オペレータがタッチパネル１７に表示されている承認ボタンを選択した場合にも、制御部１２０は、それまでに作成した出力用データファイルを出力する。
【０１４４】
第１モードでは、前述の通り、業務を選択することに伴い、選択した業務に対応する出力条件が、自動的に設定される。これに対し、第２モードにおいては、出力用データファイルを出力する条件を、オペレータが選択可能に構成されている。
【０１４５】
この紙幣処理装置１００では、第２モードにおいて選択可能な出力条件として、以下の条件が設定されている。すなわち、（１）取引が完了したこと、（２）バッチが達成したこと、（３）スタッカ４、５から紙幣が取り出されたこと、（４）識別部３が紙幣に関する情報を取得したこと、（５）オペレータが、出力用データファイルの出力を指示したこと、（６）紙幣の処理が最後に行われてから所定時間が経過したこと、（７）処理を行った紙幣の枚数が所定枚数に達したこと、の各条件を含む。
【０１４６】
この内、（１）取引が完了したことを条件に、制御部１２０が出力用データファイルを出力する場合、出力用データファイルは、当該取引に係る紙幣全てのデータを含む。
【０１４７】
（２）バッチが達成したことを条件に、制御部１２０が出力用データファイルを出力する場合、出力用データファイルは、当該バッチに含まれる紙幣全てのデータを含む。この場合において、制御部１２０は、当該バッチを特定するためのバッチＩＤを付与し、出力用データファイルにバッチＩＤを含めるようにしてもよい。尚、このバッチ処理には、前述の大束正損分け業務と同様に、バッチ枚数がスタッカ４、５の集積容量を超える枚数に設定されたバッチ処理（特定バッチ処理）も含まれる。
【０１４８】
尚、バッチ未達の端数紙幣に関する出力用データファイルは、その出力を保留してもよいし、オペレータの別途の指示を含む所定の条件の成立に基づいて、出力用データファイルを出力してもよい。
【０１４９】
（３）スタッカ４、５から紙幣が取り出したことを条件に、制御部１２０が出力用データファイルを出力する場合、出力用データファイルは、当該取り出した紙幣全てのデータを含む。この場合において、制御部１２０は、当該取り出しを特定するための取り出しＩＤを付与し、出力用データファイルに取り出しＩＤを含めるようにしてもよい。
【０１５０】
尚、紙幣の取り出しを条件にした場合は、前述したバッチ達成を条件にする場合とは異なり、バッチ未達の端数紙幣に関する出力用データファイルは、スタッカから紙幣を取り出した以降に、随時、出力される。
【０１５１】
（４）識別部３が紙幣に関する情報を取得したことを条件に、制御部１２０が出力用データファイルを出力する場合、出力用データファイルには、当該紙幣一枚の情報が含まれる。この場合、出力用データファイルの出力は、識別部３による識別と同期して、随時、行われる。
【０１５２】
（５）オペレータが、出力用データファイルの出力を指示したことには、タッチパネル１７に表示される画面において、承認ボタンを選択することや、カセット又はＡＴＭ切り替えボタンを選択することも含まれる。オペレータの指示を条件に、制御部１２０が出力用データファイルを出力する場合、出力用データファイルは、未出力の紙幣データを含む。尚、別途の「出力ボタン」を設け、出力ボタンが操作されたことを条件に、例えばバッチ未達の端数紙幣のデータ等を出力するようにしてもよい。出力ボタンは、ハードウエアによって構成されるボタンであってもよいし、タッチパネル１７に表示されるボタンであってもよい。
【０１５３】
（６）紙幣の処理が最後に行われてから所定時間が経過したことを条件に、制御部１２０が出力用データファイルを出力する場合、出力用データファイルは、未出力の紙幣データを含む。
【０１５４】
（７）処理を行った紙幣の枚数が所定枚数に達したことを条件に、制御部１２０が出力用データファイルを出力する場合、出力用データファイルは、未出力の紙幣データを含む。
【０１５５】
例えば、（２）の条件と、（３）の条件とを使い分けることにより、バッチ未達の端数紙幣に関する情報の出力を、次のバッチに達するまで保留するか、バッチ達成を待たずに分割して行うかを切り換えることが可能になる。そのことで、バッチ単位でのデータ管理を望む顧客と、リアルタイム性を重視する顧客との両方をサポートしたり、上位端末１４０におけるデータ管理の仕様に適合させたりすることが可能になる。
【０１５６】
尚、オペレータは、これら（１）〜（７）の各条件を、単独で出力条件に設定してもよいし、（１）〜（７）の条件から複数の条件を選択すると共に、選択した複数条件のＡＮＤ条件を出力条件に設定したり、選択した複数条件のＯＲ条件を出力条件に設定したりしてもよい。
【０１５７】
このように、この紙幣処理装置１００では、第１モード、及び、第２モードのそれぞれにおいて、出力用データファイルを出力する条件として、複数の条件が設定されている。制御部１２０は、複数の条件から選択された条件に基づいて、出力用データファイルを出力するタイミングを制御する。従って、紙幣処理装置１００を用いて行う業務に応じて異なるタイミングで作成される出力用データファイルを、適切なタイミングで出力することが可能になる。つまり、出力用データファイルに含める紙幣データに対応して、適切なタイミングで、出力用データファイルを出力することができる。また、第１モードにおいては、業務に適したタイミングで情報を出力することが可能になる一方、第２モードにおいては、顧客の要望等に応じてタイミングを適宜調整することが可能になる。
【０１５８】
尚、出力用データファイルは、例えば暗号化して上位端末１４０や外部装置に出力したり、ファイルを圧縮した上で上位端末１４０や外部装置に出力したりしてもよい。
【０１５９】
尚、前述したように、紙幣処理装置１００は、所定の期間は、上位端末１４０に出力をした出力用データファイルを記憶している。
【０１６０】
〈大束に関する情報を紙幣処理装置において検索するための構成〉
前述した大束正損分け業務において、紙幣処理装置１００は、ラベルＬＡを印刷すると共に、オペレータは、印刷されたラベルＬＡを大束に貼付する。大束に貼付したラベルＬＡが、大束を搬送している間に剥がれて紛失したり、ラベルＬＡの印刷面が汚れたりした場合には、ラベルＬＡの再印刷をしたいという要求がある。
【０１６１】
また、前述したように、バッチが達成したときに、プリンタ１４１がラベルＬＡの印刷を行うが、ラベルの用紙切れや、プリンタ１４１の故障等に起因して、バッチが達成したときにラベルＬＡの印刷を行うことができないことも起こり得る。その場合には、ラベルＬＡの印刷を行うことができるようになってから、ラベルＬＡの印刷を行うことになる。
【０１６２】
このように、バッチが達成したときのラベルＬＡの印刷とは異なるタイミングで、ラベルＬＡの印刷を行いたい場合があるが、その場合には、ラベルＬＡの印刷を行いたい大束に関する情報を、オペレータが指定しなければならない。
【０１６３】
前述したように、上位端末１４０は、紙幣処理装置１００が出力をした出力用データファイルを記憶しているため、この上位端末１４０から、ラベルＬＡの印刷を行いたい大束に関する情報を取得することが考えられる。しかしながら、上位端末１４０にわざわざアクセスしなければならないことは、オペレータの作業が煩雑になる。
【０１６４】
紙幣処理装置１００は、出力用データファイルを、所定期間は記憶している。そこで、紙幣処理装置１００が記憶している出力用データファイルの中から、ラベルＬＡの印刷を行いたい大束に関する情報を、オペレータが指定することが考えられる。こうすることで、上位端末１４０にアクセスすることは省略可能である。しかしながら、大量の出力用データファイルの中から、ラベルＬＡの印刷を行いたい大束に関する情報を見つけることは、非効率である。
【０１６５】
そこで、この紙幣処理装置１００は、図３に示すように、大束に関する情報の中から、所望の情報を検索する検索部１２１を備えている。検索部１２１は、例えば大束を作成した日付、又は、時刻を検索キーとして、検索を行うように構成されている。また、大束に貼付するために印刷をするのであるから、印刷を行いたいラベルＬＡに対応する大束の現物は存在する。但し、当該大束の現物は大束を作成したオペレータの手元にある場合もあれば、大束が作成された支店内の大束作成場所とは異なる場所に移動されている場合もある。また大束が作成された支店から輸送されて全く別の場所に存在する場合など、これ以外にもあらゆる場合が想定される。そこで、どのような場合であっても大束の現物を基にし、大束に含まれている紙幣の記番号の情報を検索キーとして、検索部１２１は、検索を行うよう構成されている。
【０１６６】
ここで、出力用データファイルは、大束に含まれている全ての紙幣の記番号の情報を有しているため、紙幣の記番号を検索キーとして、出力用データファイルの検索を行うと、検索処理の時間が長くなると共に、検索部１２１の検索処理の負担も大きくなる。特に紙幣処理装置１００の制御部１２０は、演算処理能力がそれほど高くないため、検索処理の時間がかなり長くなったり、検索処理の負担がかなり重くなったりする。
【０１６７】
そこで、この紙幣処理装置１００では、出力用データファイルとは別に、大束正損分け業務中に検索用データファイルを作成すると共に、その検索用データファイルを、記憶部１３１に記憶するよう構成されている。
【０１６８】
図１３は、検索用データファイル２００の構成を概念的に示す説明図である。前述したように、大束は、所定枚数（例えば１００枚）の紙幣を積み重ねて結束した小束を、所定数（例えば１０個）、さらに積み重ねて結束することにより作成される。紙幣処理装置１００は、前述したように、大束正損分け業務の実行時には、小束を作成するための１００枚のバッチ処理を、１０回、繰り返すが、１００枚のバッチ処理時の１枚目の紙幣の記番号、及び、１００枚目の紙幣の記番号のみを、検索用データファイル２００に記憶する。１枚目の紙幣及び１００枚目の紙幣は、小束における上端及び下端に位置する紙幣に相当する。１枚目の紙幣又は１００枚目の紙幣は、結束された小束において、又は、結束された大束において、外から見ることができる紙幣に相当し、オペレータは、当該紙幣の記番号を視認することが可能になる。従って、１枚目の紙幣及び１００枚目の紙幣の記番号は、検索キーに適している。
【０１６９】
ここで、通貨によっては、紙幣の片面にのみ記番号が印字されているため、集積する紙幣の表裏の向きによっては、１枚目や１００枚目の紙幣であっても、小束において、又は、大束において、記番号を外から見ることができなくなる。そこで、紙幣処理装置１００は、１枚目や１００枚目の紙幣については、その表裏の向きが、記番号を外から見ることができない向きであるときには、当該１枚目や１００枚目の紙幣をリジェクトしてもよい。尚、所定の向きの紙幣が来るまでは、リジェクトし続けることになる。こうすることで、小束において、又は、大束において外から見ることができる紙幣は、その記番号も必ず見ることが可能になる。
【０１７０】
１つの小束について２つの記番号の情報を検索用データファイル２００に記憶するから、検索用データファイル２００には、１つの大束について、２×１０個の記番号の情報が記憶されることになる。検索用データファイル２００は、その分、データ量が少なくなる。これは、記憶部１３１の記憶容量の節約に有利になる。
【０１７１】
また大束を構成する最初と最後に計数された小束ではなくて、全ての小束の１枚目の紙幣及び１００枚目の紙幣の記番号の情報を記憶するのは、大束に結束するときに小束の順番が入れ替わる状況や、大束の結束テープが切れたり外れたりして、再度大束結束しなければならないような状況にも対応できるようにするためである。
【０１７２】
こうして各記番号の情報と、当該大束に関する情報とが関連づけられて、検索用データファイル２００が構成される。
【０１７３】
尚、ここでは、一つの小束について、１枚目及び１００枚目の紙幣の記番号のみを、検索用データファイル２００に記憶しているが、紙幣を集積しているときに、紙幣の順番が入れ替わってしまうことを考慮して、１枚目からＮ枚（但し、Ｎは２以上５０未満の自然数）分の紙幣の記番号、及び、１００枚目からＮ枚分の紙幣の記番号を記憶するようにしてもよい。例えば、１枚目から３枚分の計４枚（１枚目から４枚目まで）と、１００枚目から３枚分の計４枚（つまり、９７枚目から１００枚目まで）の紙幣の記番号を記憶してもよい。こうすることで、作成された小束における１枚目の紙幣、及び、１００枚目の紙幣の記番号の情報を、検索用データファイル２００に確実に含めることが可能になると共に、検索用データファイル２００のデータ量が多くなることが抑制される。
【０１７４】
次に、検索手順について、紙幣処理装置１００のタッチパネル１７に表示される画面の例を参照しながら説明をする。図１４は、検索開始画面Ｓ１０を示している。検索開始画面Ｓ１０は、検索キーを入力する欄と、検索キーを入力するためのテンキーボタンとを有している。検索キーとして、図例の検索開始画面Ｓ１０には、大束を作成した日付（ＬＡＢＥＬ ＤＡＴＥ）、大束を作成した時刻（ＬＡＢＥＬ ＴＩＭＥ）、及び、紙幣の記番号（ＳＥＲＩＡＬ ＮＯ．）の３つが設定されている。オペレータは、テンキーボタンを操作することによって、少なくとも１種類の検索キーを入力する。尚、検索キーとしては、これら３種類に限定されず、他の情報を検索キーとして用いてもよい。例えば大束を作成したオペレータ名を検索キーとしたり、金種を検索キーとしたりしてもよい。
【０１７５】
検索開始画面Ｓ１０の検索（ＳＥＡＲＣＨ）ボタンを選択することによって、検索部１２１は検索用データファイルの検索を行う。前述したように、記憶する記番号の数を少なく制限していることから、記番号を検索キーとしたときには、その検索時間を短くすることが可能になると共に、検索処理の負担も軽減する。
【０１７６】
図１５は、検索結果画面Ｓ１１を示している。検索結果画面Ｓ１１には、検索キーに該当する情報、つまり、大束に関する情報であって、大束を作成した日付（ＤＡＴＥ）、時刻（ＴＩＭＥ）、及び情報（ＩＮＦＯＲＭＡＴＩＯＮ）が、一覧形式で表示される。
【０１７７】
検索結果画面Ｓ１１には、各情報に対応してプレビュー（ＰＲＥＶＩＥＷ）ボタンが設けられている。オペレータは、検索結果画面Ｓ１１に含まれる情報の中から、所望の情報を選択するときに、プレビューボタンを選択する。
【０１７８】
図１６は、検索結果画面Ｓ１１においてプレビューボタンが選択されたときに表示されるラベルＬＡのプレビュー画面Ｓ１２を示している。プレビュー画面Ｓ１２は、印刷されるラベルＬＡを具体的に表示する。尚、図例においては、「支店名」、「支店番号」等を示しているだけであるが、プレビュー画面Ｓ１２には、実際のラベルＬＡに印刷される、具体的な支店名や、具体的な支店番号等が表示される。
【０１７９】
プレビュー画面Ｓ１２には、印刷（ＰＲＩＮＴ）ボタンと、キャンセル（ＣＡＮＣＥＬ）ボタンとが設けられている。オペレータが印刷ボタンを選択すると、プリンタ１４１は、プレビュー画面Ｓ１２に表示されているラベルＬＡを印刷する。オペレータがキャンセルボタンを選択すると、図１５に示す検索結果画面Ｓ１１に戻る。
【０１８０】
尚、検索用データファイル２００は、随時更新されるものであり、記憶後、所定期間が経過した情報は消去することが好ましい。所定期間は、例えば３ヶ月としてもよい。こうすることで、所定期間の間は、紙幣処理装置１００を操作することによって、ラベルＬＡを再印刷することができると共に、記憶部１３１の記憶容量を節約することが可能になる。また、検索用データファイル２００の上限のデータ量を予め設定しておき、当該データ量を超えないように、古い情報から順次、消去するようにしてもよい。この場合、記憶部１３１の記憶容量と、検索用データファイル２００のデータ量とに応じて、情報を消去する、前記所定期間が変更されることになる。
【０１８１】
このように、この紙幣処理装置１００では、大束に関する情報を記憶する記憶部１３１を備えているため、オペレータは、大束に関する情報を、紙幣処理装置１００から取得することが可能になる。その結果、オペレータの利便性が高まる。
【０１８２】
また、紙幣処理装置１００は、記番号を検索キーとして、記憶部１３１が記憶している情報の中から、当該記番号を有する紙幣を含む大束を検索するよう構成された検索部１２１を備えているため、オペレータは、現物の大束において見ることができる紙幣の記番号を検索キーとして、紙幣処理装置１００において、大束に関する情報を容易に取得することが可能になる。
【０１８３】
また、記憶部１３１に記憶する記番号を、小束に含まれる全ての紙幣の記番号ではなく、小束の上端及び下端に位置する紙幣の記番号とすることで、検索の対象となる記番号の数が少なくなる。これにより、検索に要する時間を短縮することが可能になると共に、検索処理を行う制御部の負担が軽減する。
【０１８４】
さらに、大束を作成するための紙幣の計数を行う紙幣処理装置１００において、大束に貼付するラベルＬＡを、プリンタ１４１によって印刷することができるため、オペレータは、大束を作成する業務を効率的に行うことが可能になる。
【０１８５】
記憶部１３１は、大束に関する情報と、当該情報に関連づけた記番号と、を所定期間、記憶していて、その所定期間中は、記憶部１３１が記憶している大束に関する情報に基づいて、ラベルＬＡを印刷することができるため、前述したように、ラベルＬＡの再印刷が必要になったときや、バッチ達成時にはラベルＬＡを印刷することができなかったときには、適宜のタイミングで、紙幣処理装置１００において、ラベルＬＡを印刷することができ、オペレータの利便性を大幅に向上させることができる。
【０１８６】
また、プリンタ１４１がラベルＬＡの印刷ができないときでも、紙幣処理装置１００が、紙幣の計数を継続する（つまり、大束正損分け業務を継続する）ことにより、大束正損分け業務の停滞を防止することができる。
【０１８７】
記憶部１３１は、記憶部１３１の記憶容量と、記憶部１３１が記憶している検索用データファイル２００の情報量とに応じて、所定期間を変更するようすれば、記憶部１３１の記憶容量を節約しながら、必要な情報を記憶することができる。
【０１８８】
さらに、記憶部１３１が、小束における、上端の１枚目からＮ枚（但しＮは２以上５０未満の自然数）分の紙幣の記番号、及び、下端の１枚からＮ枚分の紙幣の記番号を記憶するよう構成することによって、紙幣の集積を行う際に、紙幣の順番が入れ替わってしまっても、小束において、又は、大束において、外から見える紙幣の記番号を、検索用データファイルに確実に記憶させることが可能になる。
【０１８９】
〈その他の実施形態〉
前記の実施形態では、プリンタ１４１を、紙幣処理装置１００の筐体に接続されるよう構成された外付けのプリンタとして構成しているが、ラベルＬＡを印刷するプリンタ（つまり、印刷部）は、紙幣処理装置１００の筐体に内蔵するように構成してもよい。
【０１９０】
また、前記の実施形態では、紙幣処理装置１００は、出力用データファイルとは別に作成をした検索用データファイルを記憶するようにしているが、例えば出力用データファイルにおいて、検索に利用する情報について検索用フラグを立てるようにして、出力用データファイルを検索に利用するように構成してもよい。こうすることで、検索用データファイルが不要になるから、記憶部１３１の記憶容量をさらに節約することが可能になると共に、検索対象の情報数は、出力用データファイルに記憶されている全情報数よりも少なくなるから、検索時間の短縮、及び、検索処理の負担軽減を図ることが可能になる。
【０１９１】
さらに、前記実施形態では、所定の構成を有する紙幣整理機としての紙幣処理装置１００について説明したが、紙幣処理装置はこれに限られない。ここに開示する技術は、様々な紙幣処理装置に適用することが可能である。
【０１９２】
図１７は紙幣処理装置の一例として、紙幣整理機１００３を例示している。この紙幣整理機１００３は、投入された複数枚の紙幣を、予め設定された仕分け内容に従って仕分けて計数するよう構成されている。紙幣整理機１００３は、紙幣を投入するホッパ１００３ａと、リジェクト紙幣を投出する２つのリジェクト部１００３ｂと、それぞれ紙幣を集積する４つの集積部１００３ｃとを備えており、その内部には、識別部を備えている。この紙幣整理機１００３も、構成は相違するものの、その機能は、前記紙幣処理装置１００と、実質同様である。
【０１９３】
図１８は紙幣処理装置の一例として、紙幣分類結束装置１００４を例示している。この紙幣分類結束装置１００４は、入金処理時に、集積カテゴリ及び紙幣種別毎に、投入された紙幣を分類して集積すると共に、分類集積した集積カテゴリ及び紙幣種別別の紙幣をテープで結束するよう構成されている。紙幣分類結束装置１００４は、紙幣が投入される投入部１００４ａと、それぞれ紙幣を集積する複数の集積部１００４ｂと、結束した紙幣を投出する投出部１００４ｃと、を備えており、その内部には、識別部を備えている。この紙幣分類結束装置１００４も、構成は相違するものの、その一部の機能は、前記紙幣処理装置１００と、実質同様である。
【０１９４】
ここに開示する技術が適用可能な紙幣処理装置は、少なくとも計数処理を行う紙幣処理装置であればよく、計数処理と、小束を作成する処理とを行う装置としてもよいし、計数処理と、小束を作成する処理と、大束を作成する処理との全てを行う装置としてもよい。
【符号の説明】
【０１９５】
１００  紙幣処理装置
１２０  制御部（計数部）
１２１  検索部
１３１  記憶部
１４１  プリンタ（印刷部）
３  識別部
ＬＡ  ラベル
【図１】
2017187985.tif 000003
【図２】
2017187985.tif 000004
【図３】
2017187985.tif 000005
【図４】
2017187985.tif 000006
【図５】
2017187985.tif 000007
【図６】
2017187985.tif 000008
【図７】
2017187985.tif 000009
【図８】
2017187985.tif 000010
【図９】
2017187985.tif 000011
【図１０】
2017187985.tif 000012
【図１１】
2017187985.tif 000013
【図１２】
2017187985.tif 000014
【図１３】
2017187985.tif 000015
【図１４】
2017187985.tif 000016
【図１５】
2017187985.tif 000017
【図１６】
2017187985.tif 000018
【図１７】
2017187985.tif 000019
【図１８】
2017187985.tif 000020